(57)【特許請求の範囲】
【請求項１】
原稿の存在する走査領域範囲を走査して得られる画像データである走査領域画像データを取得する走査領域画像データ取得手段と、
前記走査領域画像データを複数の小領域の画像データに分割する分割手段と、
前記小領域の画像データのヒストグラムを生成するヒストグラム生成手段と、
前記小領域の画像データのヒストグラムと比較して所定の判定を行うための判定用ヒストグラムを記憶する記憶部と、
前記ヒストグラム生成手段で生成したヒストグラムと前記判定用ヒストグラムとに基づき、前記走査領域画像データにおける原稿部分の画像データ以外の画像データである原稿外画像データを検出する原稿外画像データ検出手段と、
前記走査領域画像データにおける、前記原稿外画像データ検出手段で検出された原稿外画像データの各画素値を、それよりも低濃度の画素値に変換して構成される複写原稿画像データを生成する複写原稿画像データ生成手段と、を備え、
前記判定用ヒストグラムは、少なくとも、
原稿を含まない画像データ用の第１の判定用ヒストグラムと、原稿を含まない画像データと原稿を含む画像データの混合画像データ用の第２の判定用ヒストグラムであり、
前記原稿外画像データ検出手段は、
前記ヒストグラム生成手段で生成した前記各小領域のヒストグラムと、前記第１および第２の判定用ヒストグラムとの比較結果に基づき、
前記各小領域のヒストグラムが、前記第１の判定用ヒストグラムと相関が高い場合は原稿を含まない画像データとして判定し、一方、
前記第２の判定用ヒストグラムと相関が高い場合は原稿を含む画像データとして判定し、
該判定結果に基づき、前記走査領域画像データにおける、前記原稿部分の画像データとの境界位置を抽出し、当該抽出した境界位置に基づき、前記走査領域画像データから前記原稿外画像データを検出することを特徴とする複写用画像データ生成装置。
【発明の詳細な説明】
【技術分野】
【０００１】
本発明は、複写装置に係り、特に、走査領域範囲への外光入射時における原稿の複写画
像を生成時のトナーの使用量を節約するのに好適な複写用画像データ生成装置、複写用画
像データ生成プログラム及び複写用画像データ生成方法、並びに複写装置、複写装置制御
プログラム及び複写装置制御方法に関する。
【背景技術】
【０００２】
従来、複写機において、厚手の本などの原稿を複写する場合に、外光の遮断及び原稿を
抑えるための圧板が押し上げられ、走査領域範囲の原稿領域以外の部分に外光が入ってし
まい、その部分が黒く印刷されてしまうという現象が発生する。このように、原稿領域以
外の部分が黒く印刷されると、見た目にも良くない上に、原稿領域以外を黒く塗りつぶす
ことになるため大量のトナーを消費してしまうという不具合が生じる。
【０００３】
このような不具合を解消するための技術として、例えば、特許文献１に記載の画像形成
装置がある。
この画像形成装置は、原稿を走査しデジタル変換された画像データとして取得する画像
取得手段と、この画像取得手段により取得された画像データをサンプリング解析して画像
枠領域を設定する画像枠設定手段と、この画像枠設定手段に基づいて画像取得手段から取
得された画像データに画像枠を付加し、原稿の複写画像を形成する画像形成手段とを有す
るものである。また、サンプリング解析をして画像枠を設定する方法の一つとして、サン
プリングデータを基にヒストグラムを形成し、２以上のヒストグラムを対比させて画像枠
を設定する方法を用いている。
【特許文献１】特開平１１−９８３４７号公報
【発明の開示】
【発明が解決しようとする課題】
【０００４】
しかしながら、上記特許文献１に記載の従来技術においては、取得画像データのライン
単位の画像データに対するヒストグラムを生成しているため、精度良く画像枠を設定する
ためには、多くのヒストグラムを生成する必要がある。
また、ヒストグラムを対比させ大きい値を画像枠の算出値とし、且つこの算出値が予め
定められた範囲内である場合に画像枠データを設定するため、原稿中に大きな黒領域があ
る場合などに、その黒領域を画像枠と誤判断してしまう恐れがある。
【０００５】
そこで、本発明は、このような従来の技術の有する未解決の課題に着目してなされたも
のであって、走査領域範囲への外光入射時における原稿の複写画像を生成時のトナーの使
用量を節約するのに好適なで且つ原稿外の画像部分を正確に検出するのに好適な複写用画
像データ生成装置、複写用画像データ生成プログラム及び複写用画像データ生成方法、並
びに複写装置、複写装置制御プログラム及び複写装置制御方法を提供することを目的とし
ている。
【課題を解決するための手段】
【０００６】
〔形態１〕  上記目的を達成するために、形態１の複写用画像データ生成装置は、
原稿の存在する走査領域範囲を走査して得られる画像データである走査領域画像データ
を取得する走査領域画像データ取得手段と、
前記走査領域画像データ取得手段で取得した走査領域画像データのヒストグラムを生成
するヒストグラム生成手段と、
前記ヒストグラム生成手段で生成したヒストグラムに基づき、前記走査領域画像データ
における原稿部分の画像データ以外の画像データである原稿外画像データを検出する原稿
外画像データ検出手段と、
前記走査領域画像データにおける、前記原稿外画像データ検出手段で検出された原稿外
画像データの各画素値を、それよりも低濃度の画素値に変換して構成される複写原稿画像
データを生成する複写原稿画像データ生成手段と、を備えることを特徴としている。
【０００７】
このような構成であれば、走査領域画像データ取得手段によって、原稿の存在する走査
領域範囲を走査して得られる画像データである走査領域画像データを取得することが可能
であり、ヒストグラム生成手段によって、前記走査領域画像データ取得手段で取得した走
査領域画像データのヒストグラムを生成することが可能であり、原稿外画像データ検出手
段によって、前記ヒストグラム生成手段で生成したヒストグラムに基づき、前記走査領域
画像データにおける原稿部分の画像データ以外の画像データである原稿外画像データを検
出することが可能であり、複写原稿画像データ生成手段によって、前記走査領域画像デー
タにおける、前記原稿外画像データ検出手段で検出された原稿外画像データの各画素値を
、それよりも低濃度の画素値に変換して構成される複写原稿画像データを生成することが
可能である。
【０００８】
つまり、走査領域範囲内に載置された原稿に光を照射してその反射光をＣＣＤ等の光電
変換素子で光電変換して原稿の複写画像データを生成する複写機においては、原稿の白紙
部分の画像データの濃度と、原稿の文字部分の画像データの濃度と、外光が入射した状態
の（照射光を反射しない状態の）走査領域における原稿以外の画像データの濃度とは、そ
れぞれ異なる性質（濃度）を有するため、走査領域画像データのヒストグラムにおいては
、これら３つの状態の画像データの濃度分布が略はっきりと分かれる。
【０００９】
従って、走査領域画像データのヒストグラムから、前記３つの状態がそれぞれ含まれる
濃度分布が解るので、原稿外画像データの有無に加え、原稿外となる濃度を簡易且つ正確
に識別することができ、更に、このようにして識別された原稿外画像データをその画素値
の示す濃度より低濃度の画素値に変換することができる。これにより、簡易且つ正確に原
稿外画像データを検出することができると共に、原稿外画像の印刷（複写）に使用するト
ナーの量を節約することができるという効果が得られる。例えば、原稿の文字部分の複写
画像データは、光学的ドットゲインが原因で、原稿の白紙部分の濃度と、原稿外の部分の
濃度との中間の濃度を示す。
【００１０】
ここで、走査領域範囲とは、複写機において原稿を走査する（光を照射し、その反射光
を読み取る）範囲であり、大抵の複写機においては、用紙のサイズ毎にこの走査範囲を変
更することができるようになっている。また、正確に原稿を複写するためには、走査領域
に対して照射光以外の外光が入射されるのを遮断する必要があり、通常は、蓋をして外光
の遮断及び原稿の固定を行う。しかし、厚手の本などを複写する場合は、蓋を完全に閉じ
ることができないため、走査領域に外光が入射してしまう。このように外光が入射する領
域については、照射光の反射が発生しないため、その領域が黒領域と誤判断されてしまい
、その結果、複写結果の画像において、原稿外の部分が真っ黒に印刷される。例えば、複
写機における、走査領域範囲であるガラス板における原稿が密着していない部分、及び原
稿がない部分が黒く印刷される。以下、「複写用画像生成プログラム」に関する形態、「
複写用画像データ生成方法」に関する形態、「複写装置」に関する形態、「複写装置制御
プログラム」に関する形態、「複写装置制御方法」に関する形態、「発明を実施するため
の最良の形態」の欄などにおいて同様である。
【００１１】
また、走査領域画像データは、走査領域範囲全体の画像データであり、例えば、原稿の
サイズが走査領域範囲のサイズを越えている場合（全部覆ってしまうような場合）は、原
稿のみの画像データとなり、越えていない場合（一部でも超えていない部分がある場合）
は、原稿外画像データを含むことになる。以下、「複写用画像生成プログラム」に関する
形態、「複写用画像データ生成方法」に関する形態、「複写装置」に関する形態、「複写
装置制御プログラム」に関する形態、「複写装置制御方法」に関する形態、「発明を実施
するための最良の形態」の欄などにおいて同様である。
【００１２】
また、ヒストグラムは、画素値（濃度値又は輝度値）の示す濃度に対する画素の個数を
グラフにしたもので、このヒストグラムから、例えば、前述したような、原稿の文字部分
の濃度分布や、原稿が無く且つ外光が照射する状態の濃度分布や、原稿の白紙部分の濃度
分布などを知ることができる。以下、「複写用画像生成プログラム」に関する形態、「複
写用画像データ生成方法」に関する形態、「複写装置」に関する形態、「複写装置制御プ
ログラム」に関する形態、「複写装置制御方法」に関する形態、「発明を実施するための
最良の形態」の欄などにおいて同様である。
【００１３】
また、原稿外画像データの各画素値よりも低濃度の画素値とは、原稿外画像データの部
分の印刷に用いるトナーの量を変換前よりも節約できればどのような画素値でも良いが、
原稿の白紙部分と同様にトナーを使用しない画素値とすることが最も節約となるので望ま
しい。以下、「複写用画像生成プログラム」に関する形態、「複写用画像データ生成方法
」に関する形態、「複写装置」に関する形態、「複写装置制御プログラム」に関する形態
、「複写装置制御方法」に関する形態、「発明を実施するための最良の形態」の欄などに
おいて同様である。
【００１４】
〔形態２〕  更に、形態２の複写用画像データ生成装置は、形態１の複写用画像データ
生成装置において、
前記原稿外画像データ検出手段は、前記走査領域範囲内に原稿が無く且つ外光が入射し
た状態の前記走査領域範囲を走査して得られる走査領域画像データから生成された判定用
閾値と、前記ヒストグラム生成手段で生成したヒストグラムとに基づき、前記走査領域画
像データから前記原稿外画像データを検出することを特徴としている。
【００１５】
このような構成であれば、走査領域画像データの全てが原稿外画像データとなる画像デ
ータに基づき、原稿部分の画像データを含む走査領域画像データから原稿外画像データを
識別するための判定用閾値を生成することが可能となる。
従って、この判定用閾値に基づき原稿外画像データを検出することで、より正確に原稿
外画像データを検出することができるという効果が得られる。
【００１６】
〔形態３〕  更に、形態３の複写用画像データ生成装置は、形態１又は２の複写用画像
データ生成装置において、
前記判定用閾値は、前記走査領域範囲内に原稿が無く且つ外光が入射した状態の前記走
査領域範囲を走査して得られる走査領域画像データから算出される各画素値の平均値μ及
び標準偏差σから求めた「μ＋３σ」又は「μ−３σ」の範囲値であり、
前記原稿外画像データ検出手段は、前記走査領域画像データを構成する各画素データの
示す画素値が、前記「μ＋３σ」又は前記「μ−３σ」の範囲値内に含まれるときに、そ
の画素データを前記原稿外画像データとして検出することを特徴としている。
【００１７】
このような構成であれば、走査領域画像データの全てが原稿外画像データとなる画像デ
ータから各画素値の平均値μ及び標準偏差σを算出し、当該算出値からμ±３σの範囲値
を求めることが可能となる。例えば、画素値が濃度値であれば、μは、全てが原稿外画像
データとなる画像データの濃度平均値となる。更に、判定用閾値「μ＋３σ」又は「μ−
３σ」と、原稿部分の画像データを含む走査領域画像データの各画素データの画素値とを
比較し、当該画素値が、「μ＋３σ」又は「μ−３σ」の範囲内に含まれるときに、当該
画素値の画素データを原稿外画像データとして検出することが可能である。
【００１８】
一般に、正規分布に従う確率変数の観測値が平均値μから±１σの区間に入る確率は「
０．６８」、同様に２σの区間に入る確率は「０．９５」、３σの区間に入る確率は「０
．９９７」となるので、本形態の構成のように、判定用閾値を「μ＋３σ」又は「μ−３
σ」として原稿外画像データを検出することで、過不足無く正確に原稿外画像データの検
出を行うことができるという効果が得られる。
【００１９】
〔形態４〕  更に、形態４の複写用画像データ生成装置は、形態２又は３の複写用画像
データ生成装置において、
前記原稿外画像データ検出手段は、前記走査領域画像データから所定の画素データを選
択し、当該選択した所定の画素データの示す画素値と前記判定用閾値とを比較して、当該
画素値が前記原稿外画像データと判定される画素値であるときに、当該選択した画素デー
タの画素位置に対して平面視で上下左右の４方向に連続する各画素の画素値と前記判定用
閾値とを比較する処理を順次行い、前記選択した画素データの画素から前記走査領域の端
の画素まで前記４方向にそれぞれ連続する画素群のうち、全ての画素群の画素値が前記原
稿外画像データと判定される画素群が２つ以上あるときに、前記選択した画素データを前
記原稿外画像データとして検出することを特徴としている。
このような構成であれば、原稿内に黒色の大きな画像領域部分（大きな太文字など）が
あっても、この部分を原稿外画像データとして誤検出するのを防ぐことが可能である。
【００２０】
つまり、走査領域画像データにおける選択した画素データに対して、当該選択した画素
データの画素位置と平面視で上下左右のいずれかの方向に連続する画素群の画素データに
おいて、当該画素群に原稿部分の画素データが含まれていれば、白と黒の画素データが混
じったものとなり（モノクロの複写機を想定）、前記画素群が原稿以外の部分の画素デー
タだけで構成されていれば、上下左右のいずれかの方向に黒の画素データが走査領域の端
まで連続することになる。また、原稿のサイズが走査領域の横幅又は縦幅を超えるような
場合は、上下左右のいずれかの方向に走査領域の端まで原稿部分の画素データが連続する
ことになるので、この場合も、黒の画素データが走査領域の端まで連続する可能性がある
。このような状況を区別するため、本形態においては、上下左右の４方向のうち、走査領
域の端まで黒の画素データが連続する方向が少なくとも２つ以上ある場合に、選択画素デ
ータを原稿外画像データとして検出する。
これにより、原稿外画像データの誤検出を防ぐことができると共に、原稿のサイズが走
査領域範囲のサイズを超えている場合でも、より確実に原稿外画像データを検出すること
ができるという効果が得られる。
【００２１】
〔形態５〕  更に、形態５の複写用画像データ生成装置は、形態１乃至３のいずれか１
の複写用画像データ生成装置において、
前記走査領域画像データを複数の小領域の画像データに分割し、
前記ヒストグラム生成手段は、前記各小領域の画像データのヒストグラムを生成し、
前記原稿外画像データ検出手段は、前記ヒストグラム生成手段で生成した前記各小領域
のヒストグラムと、当該小領域に対する判定用のヒストグラムとの比較結果に基づき、前
記走査領域画像データにおける、前記原稿部分の画像データとの境界位置を抽出し、当該
抽出した境界位置に基づき、前記走査領域画像データから前記原稿外画像データを検出す
ることを特徴としている。
【００２２】
このような構成であれば、走査領域画像データにおける、原稿部分だけの領域と、原稿
以外の領域と、原稿及び原稿以外の両方を含む領域（境界位置を含む領域）とを小領域の
単位で検出することが可能であり、これにより、大凡の境界位置を把握することが可能で
ある。更に、この境界位置を含む小領域の画像データに対して、前記判定用閾値等を用い
て、正確に原稿外画像データの検出処理を行うことが可能である。
従って、境界位置から内側の領域を全て原稿部分の領域とし、境界部分は正確に検出を
行って判別し、更に、これら以外の領域は原稿以外の領域とすることで、原稿内に黒の大
領域があっても、その部分の画素データを原稿外画像データとして誤検出することを防ぐ
ことができるという効果が得られる。
【００２３】
〔形態６〕  更に、形態６の複写用画像データ生成装置は、形態５の複写用画像データ
生成装置において、
前記判定用のヒストグラムは、前記原稿外画像データのみから構成される小領域のヒス
トグラムと、前記複写原稿画像データを含んで構成される小領域のヒストグラムとを含む
ことを特徴としている。
このような構成であれば、走査領域画像データにおける小領域の画像データ毎に、簡易
に、原稿部分だけの領域と、原稿以外の領域と、原稿及び原稿以外の両方を含む領域（境
界位置を含む領域）とを識別することができるという効果が得られる。
【００２４】
〔形態７〕  更に、形態７の複写用画像データ生成装置は、形態５又は６の複写用画像
データ生成装置において、
前記原稿外画像データ検出手段は、走査領域画像データの画像の外側から内側に向かっ
て順に、前記小領域の画像データのヒストグラムと、前記判定用のヒストグラムとの比較
処理を実行し、当該比較処理によって前記小領域の画像データに境界位置の画像データが
含まれると判定されたときに、それより内側の小領域の画像データに対しては前記比較処
理を実行しないことを特徴としている。
【００２５】
このような構成であれば、走査領域画像データの画像領域の外周の小領域の画像データ
から内側に向かって比較処理が実行され、且つ境界位置を含む小領域の画像データを検出
すると、そこから内側に対しては比較処理を実行しないため、例えば、原稿内に黒画素の
大領域があっても、その部分の画素データを原稿外画像データとして誤検出させないよう
にできると共に、比較処理の処理量を軽減できるという効果が得られる。
【００２６】
〔形態８〕  一方、上記目的を達成するために、形態８の複写用画像データ生成プログ
ラムは、
原稿の存在する走査領域範囲を走査して得られる画像データである走査領域画像データ
を取得する走査領域画像データ取得ステップと、
前記走査領域画像データ取得ステップで取得した走査領域画像データのヒストグラムを
生成するヒストグラム生成ステップと、
前記ヒストグラム生成ステップで生成したヒストグラムに基づき、前記走査領域画像デ
ータにおける前記原稿部分の画像データ以外の画像データである原稿外画像データを検出
する原稿外画像データ検出ステップと、
前記走査領域画像データにおける、前記原稿外画像データ検出ステップで検出された原
稿外画像データの各画素値を、それよりも低濃度の画素値に変換して構成される複写原稿
画像データを生成する複写原稿画像データ生成ステップとからなる処理をコンピュータに
実行させるのに使用するプログラムを含むことを特徴としている。
このような構成であれば、コンピュータによってプログラムが読み取られ、読み取られ
たプログラムに従ってコンピュータが処理を実行すると、形態１の複写用画像データ生成
装置と同等の作用及び効果が得られる。
【００２７】
〔形態９〕  更に、形態９の複写用画像データ生成プログラムは、形態８の複写用画像
データ生成プログラムにおいて、
前記原稿外画像データ検出ステップにおいては、前記走査領域範囲内に原稿が無く且つ
外光が入射した状態の前記走査領域範囲を走査して得られる走査領域画像データから生成
された判定用閾値と、前記ヒストグラム生成ステップで生成したヒストグラムとに基づき
、前記走査領域画像データから前記原稿外画像データを検出することを特徴としている。
このような構成であれば、コンピュータによってプログラムが読み取られ、読み取られ
たプログラムに従ってコンピュータが処理を実行すると、形態２の複写用画像データ生成
装置と同等の作用及び効果が得られる。
【００２８】
〔形態１０〕  更に、形態１０の複写用画像データ生成プログラムは、形態８又は９の
複写用画像データ生成プログラムにおいて、
前記判定用閾値は、前記走査領域範囲内に原稿が無く且つ外光が入射した状態の前記走
査領域範囲を走査して得られる走査領域画像データから算出される各画素値の平均値μ及
び標準偏差σから求めた「μ＋３σ」又は「μ−３σ」の範囲値であり、
前記原稿外画像データ検出ステップにおいては、前記走査領域画像データを構成する各
画素データの示す画素値が、前記「μ＋３σ」又は前記「μ−３σ」の範囲値内に含まれ
るときに、その画素データを前記原稿外画像データとして検出することを特徴としている
。
このような構成であれば、コンピュータによってプログラムが読み取られ、読み取られ
たプログラムに従ってコンピュータが処理を実行すると、形態３の複写用画像データ生成
装置と同等の作用及び効果が得られる。
【００２９】
〔形態１１〕  更に、形態１１の複写用画像データ生成プログラムは、形態９又は１０
の複写用画像データ生成プログラムにおいて、
前記原稿外画像データ検出ステップにおいては、前記走査領域画像データから所定の画
素データを選択し、当該選択した所定の画素データの示す画素値と前記判定用閾値とを比
較して、当該画素値が前記原稿外画像データと判定される画素値であるときに、当該選択
した画素データの画素位置に対して平面視で上下左右の４方向に連続する各画素の画素値
と前記判定用閾値とを比較する処理を順次行い、前記選択した画素データの画素から前記
走査領域の端の画素まで前記４方向にそれぞれ連続する画素群のうち、全ての画素群の画
素値が前記原稿外画像データと判定される画素群が２つ以上あるときに、前記選択した画
素データを前記原稿外画像データとして検出することを特徴としている。
このような構成であれば、コンピュータによってプログラムが読み取られ、読み取られ
たプログラムに従ってコンピュータが処理を実行すると、形態４の複写用画像データ生成
装置と同等の作用及び効果が得られる。
【００３０】
〔形態１２〕  更に、形態１２の複写用画像データ生成プログラムは、形態８乃至１０
のいずれか１の複写用画像データ生成プログラムにおいて、
前記ヒストグラム生成ステップにおいては、前記走査領域画像データを複数の小領域の
画像データに分割した各小領域の画像データのヒストグラムを生成し、
前記原稿外画像データ検出ステップにおいては、前記ヒストグラム生成ステップで生成
した前記各小領域のヒストグラムと、当該小領域に対する判定用のヒストグラムとの比較
結果に基づき、前記走査領域画像データにおける、前記原稿部分の画像データとの境界位
置を抽出し、当該抽出した境界位置に基づき、前記走査領域画像データから前記原稿外画
像データを検出することを特徴としている。
このような構成であれば、コンピュータによってプログラムが読み取られ、読み取られ
たプログラムに従ってコンピュータが処理を実行すると、形態５の複写用画像データ生成
装置と同等の作用及び効果が得られる。
【００３１】
〔形態１３〕  更に、形態１３の複写用画像データ生成プログラムは、形態１２の複写
用画像データ生成プログラムにおいて、
前記判定用のヒストグラムは、前記原稿外画像データのみから構成される小領域のヒス
トグラムと、前記複写原稿画像データを含んで構成される小領域のヒストグラムとを含む
ことを特徴としている。
このような構成であれば、コンピュータによってプログラムが読み取られ、読み取られ
たプログラムに従ってコンピュータが処理を実行すると、形態６の複写用画像データ生成
装置と同等の作用及び効果が得られる。
【００３２】
〔形態１４〕  更に、形態１４の複写用画像データ生成プログラムは、形態１２又は１
３の複写用画像データ生成プログラムにおいて、
前記原稿外画像データ検出ステップにおいては、走査領域画像データの画像の外側から
内側に向かって順に、前記小領域の画像データのヒストグラムと、前記判定用のヒストグ
ラムとの比較処理を実行し、当該比較処理によって前記小領域の画像データに境界位置の
画像データが含まれると判定されたときに、それより内側の小領域の画像データに対して
は前記比較処理を実行しないことを特徴としている。
このような構成であれば、コンピュータによってプログラムが読み取られ、読み取られ
たプログラムに従ってコンピュータが処理を実行すると、形態７の複写用画像データ生成
装置と同等の作用及び効果が得られる。
【００３３】
〔形態１５〕  一方、上記目的を達成するために、形態１５の複写用画像データ生成プ
ログラムの記憶されたコンピュータ読み取り可能な記憶媒体は、
形態８乃至形態１４のいずれか１に記載の複写用画像データ生成プログラムの記憶され
たコンピュータ読み取り可能な記憶媒体である。
これによって、形態８乃至形態１４のいずれか１の複写用画像データ生成プログラムと
同等の作用及び効果が得られると共に、ＣＤ−ＲＯＭやＤＶＤ−ＲＯＭ、ＭＯなどの記録
媒体を介して前記複写用画像データ生成プログラムを容易に授受することが可能となる。
【００３４】
〔形態１６〕  一方、上記目的を達成するために、形態１６の複写用画像データ生成方
法は、
原稿の存在する走査領域範囲を走査して得られる画像データである走査領域画像データ
を取得する走査領域画像データ取得ステップと、
前記走査領域画像データ取得ステップで取得した走査領域画像データのヒストグラムを
生成するヒストグラム生成ステップと、
前記ヒストグラム生成ステップで生成したヒストグラムに基づき、前記走査領域画像デ
ータにおける前記原稿部分の画像データ以外の画像データである原稿外画像データを検出
する原稿外画像データ検出ステップと、
前記走査領域画像データにおける、前記原稿外画像データ検出ステップで検出された原
稿外画像データの各画素値を、それよりも低濃度の画素値に変換して構成される複写原稿
画像データを生成する複写原稿画像データ生成ステップと、を含むことを特徴としている
。
これによって、形態１の複写用画像データ生成装置と同等の効果が得られる。
【００３５】
〔形態１７〕  更に、形態１７の複写用画像データ生成方法は、形態１６の複写用画像
データ生成方法において、
前記原稿外画像データ検出ステップにおいては、前記走査領域範囲内に原稿が無く且つ
外光が入射した状態の前記走査領域範囲を走査して得られる走査領域画像データから生成
された判定用閾値と、前記ヒストグラム生成ステップで生成したヒストグラムとに基づき
、前記走査領域画像データから前記原稿外画像データを検出することを特徴としている。
これによって、形態２の複写用画像データ生成装置と同等の効果が得られる。
【００３６】
〔形態１８〕  更に、形態１８の複写用画像データ生成方法は、形態１６又は１７の複
写用画像データ生成方法において、
前記判定用閾値は、前記走査領域範囲内に原稿が無く且つ外光が入射した状態の前記走
査領域範囲を走査して得られる走査領域画像データから算出される各画素値の平均値μ及
び標準偏差σから求めた「μ＋３σ」又は「μ−３σ」の範囲値であり、
前記原稿外画像データ検出ステップにおいては、前記走査領域画像データを構成する各
画素データの示す画素値が、前記「μ＋３σ」又は前記「μ−３σ」の範囲値内に含まれ
るときに、その画素データを前記原稿外画像データとして検出することを特徴としている
。
これによって、形態３の複写用画像データ生成装置と同等の効果が得られる。
【００３７】
〔形態１９〕  更に、形態１９の複写用画像データ生成方法は、形態１７又は１８の複
写用画像データ生成方法において、
前記原稿外画像データ検出ステップにおいては、前記走査領域画像データから所定の画
素データを選択し、当該選択した所定の画素データの示す画素値と前記判定用閾値とを比
較して、当該画素値が前記原稿外画像データと判定される画素値であるときに、当該選択
した画素データの画素位置に対して平面視で上下左右の４方向に連続する各画素の画素値
と前記判定用閾値とを比較する処理を順次行い、前記選択した画素データの画素から前記
走査領域の端の画素まで前記４方向にそれぞれ連続する画素群のうち、全ての画素群の画
素値が前記原稿外画像データと判定される画素群が２つ以上あるときに、前記選択した画
素データを前記原稿外画像データとして検出することを特徴としている。
これによって、形態４の複写用画像データ生成装置と同等の効果が得られる。
【００３８】
〔形態２０〕  更に、形態２０の複写用画像データ生成方法は、形態１６乃至１８のい
ずれか１の複写用画像データ生成方法において、
前記ヒストグラム生成ステップにおいては、前記走査領域画像データを複数の小領域の
画像データに分割した各小領域の画像データのヒストグラムを生成し、
前記原稿外画像データ検出ステップにおいては、前記ヒストグラム生成ステップで生成
した前記各小領域のヒストグラムと、当該小領域に対する判定用のヒストグラムとの比較
結果に基づき、前記走査領域画像データにおける、前記原稿部分の画像データとの境界位
置を抽出し、当該抽出した境界位置に基づき、前記走査領域画像データから前記原稿外画
像データを検出することを特徴としている。
これによって、形態５の複写用画像データ生成装置と同等の効果が得られる。
【００３９】
〔形態２１〕  更に、形態２１の複写用画像データ生成方法は、形態２０の複写用画像
データ生成方法において、
前記判定用のヒストグラムは、前記原稿外画像データのみから構成される小領域のヒス
トグラムと、前記複写原稿画像データを含んで構成される小領域のヒストグラムとを含む
ことを特徴としている。
これによって、形態６の複写用画像データ生成装置と同等の効果が得られる。
【００４０】
〔形態２２〕  更に、形態２２の複写用画像データ生成方法は、形態２０又は２１の複
写用画像データ生成方法において、
前記原稿外画像データ検出ステップにおいては、走査領域画像データの画像の外側から
内側に向かって順に、前記小領域の画像データのヒストグラムと、前記判定用のヒストグ
ラムとの比較処理を実行し、当該比較処理によって前記小領域の画像データに境界位置の
画像データが含まれると判定されたときに、それより内側の小領域の画像データに対して
は前記比較処理を実行しないことを特徴としている。
これによって、形態７の複写用画像データ生成装置と同等の効果が得られる。
【００４１】
〔形態２３〕  一方、上記目的を達成するために、形態２３の複写装置は、
走査領域を走査して得られる画像データに基づき、当該走査領域範囲内に存在する原稿
を複写する複写装置であって、
前記走査領域範囲内に前記原稿の存在する走査領域を走査して、当該原稿部分の画像デ
ータを含む走査領域全体の画像データである走査領域画像データを生成する走査領域画像
データ生成手段と、
前記走査領域画像データ生成手段で生成した走査領域画像データのヒストグラムを生成
するヒストグラム生成手段と、
前記ヒストグラム生成手段で生成したヒストグラムに基づき、前記走査領域画像データ
における前記原稿部分の画像データ以外の画像データである原稿外画像データを検出する
原稿外画像データ検出手段と、
前記走査領域画像データにおける、前記原稿外画像データ検出手段で検出された原稿外
画像データの各画素値を、それよりも低濃度の画素値に変換して構成される複写原稿画像
データを生成する複写原稿画像データ生成手段と、
前記複写原稿画像データ生成手段で生成した複写原稿画像データに基づき、前記原稿を
複写する複写手段と、を備えることを特徴としている。
【００４２】
このような構成であれば、走査領域画像データ生成手段によって、前記走査領域範囲内
に前記原稿の存在する走査領域を走査して、当該原稿部分の画像データを含む走査領域全
体の画像データである走査領域画像データを生成することが可能であり、ヒストグラム生
成手段によって、前記走査領域画像データ生成手段で生成した走査領域画像データのヒス
トグラムを生成することが可能であり、原稿外画像データ検出手段によって、前記ヒスト
グラム生成手段で生成したヒストグラムに基づき、前記走査領域画像データにおける前記
原稿部分の画像データ以外の画像データである原稿外画像データを検出することが可能で
ある。
【００４３】
また、複写原稿画像データ生成手段によって、前記走査領域画像データにおける、前記
原稿外画像データ検出手段で検出された原稿外画像データの各画素値を、それよりも低濃
度の画素値に変換して構成される複写原稿画像データを生成することが可能であり、複写
手段によって、前記複写原稿画像データ生成手段で生成した複写原稿画像データに基づき
、前記原稿を複写することが可能である。
【００４４】
これにより、形態１の複写用画像データ生成装置と同等の作用及び効果が得られる。
ここで、複写とは、文書、絵などを原物通りに写し取ることであり、トナーによって、
印刷用紙に印刷するなどして行われる処理である。以下、「複写装置制御プログラム」に
関する形態、「複写装置制御方法」に関する形態、「発明を実施するための最良の形態」
の欄などにおいて同様である。
【００４５】
〔形態２４〕  更に、形態２４の複写装置は、形態２３の複写装置において、
前記原稿外画像データ検出手段は、前記走査領域範囲内に原稿が無く且つ外光が入射し
た状態の前記走査領域範囲を走査して得られる走査領域画像データから生成された判定用
閾値と、前記ヒストグラム生成手段で生成したヒストグラムとに基づき、前記走査領域画
像データから前記原稿外画像データを検出することを特徴としている。
これにより、形態２の複写用画像データ生成装置と同等の作用及び効果が得られる。
【００４６】
〔形態２５〕  更に、形態２５の複写装置は、形態２３又は２４の複写装置において、
前記判定用閾値は、前記走査領域範囲内に原稿が無く且つ外光が入射した状態の前記走
査領域範囲を走査して得られる走査領域画像データから算出される各画素値の平均値μ及
び標準偏差σから求めた「μ＋３σ」又は「μ−３σ」の範囲値であり、
前記原稿外画像データ検出手段は、前記走査領域画像データを構成する各画素データの
示す画素値が、前記「μ＋３σ」又は前記「μ−３σ」の範囲値内に含まれるときに、そ
の画素データを前記原稿外画像データとして検出することを特徴としている。
これにより、形態３の複写用画像データ生成装置と同等の作用及び効果が得られる。
【００４７】
〔形態２６〕  更に、形態２６の複写装置は、形態２４又は２５の複写装置において、
前記原稿外画像データ検出手段は、前記走査領域画像データから所定の画素データを選
択し、当該選択した所定の画素データの示す画素値と前記判定用閾値とを比較して、当該
画素値が前記原稿外画像データと判定される画素値であるときに、当該選択した画素デー
タの画素位置に対して平面視で上下左右の４方向に連続する各画素の画素値と前記判定用
閾値とを比較する処理を順次行い、前記選択した画素データの画素から前記走査領域の端
の画素まで前記４方向にそれぞれ連続する画素群のうち、全ての画素群の画素値が前記原
稿外画像データと判定される画素群が２つ以上あるときに、前記選択した画素データを前
記原稿外画像データとして検出することを特徴としている。
これにより、形態４の複写用画像データ生成装置と同等の作用及び効果が得られる。
【００４８】
〔形態２７〕  更に、形態２７の複写装置は、形態２３乃至２５のいずれか１の複写装
置において、
前記走査領域画像データを複数の小領域の画像データに分割し、
前記ヒストグラム生成手段は、前記各小領域の画像データのヒストグラムを生成し、
前記原稿外画像データ検出手段は、前記ヒストグラム生成手段で生成した前記各小領域
のヒストグラムと、当該小領域に対する判定用のヒストグラムとの比較結果に基づき、前
記走査領域画像データにおける、前記原稿部分の画像データとの境界位置を抽出し、当該
抽出した境界位置に基づき、前記走査領域画像データから前記原稿外画像データを検出す
ることを特徴としている。
これにより、形態５の複写用画像データ生成装置と同等の作用及び効果が得られる。
【００４９】
〔形態２８〕  更に、形態２８の複写装置は、形態２７の複写装置において、
前記判定用のヒストグラムは、前記原稿外画像データのみから構成される小領域のヒス
トグラムと、前記複写原稿画像データを含んで構成される小領域のヒストグラムとを含む
ことを特徴としている。
これにより、形態６の複写用画像データ生成装置と同等の作用及び効果が得られる。
【００５０】
〔形態２９〕  更に、形態２９の複写装置は、形態２７又は２８の複写装置において、
前記原稿外画像データ検出手段は、走査領域画像データの画像の外側から内側に向かっ
て順に、前記小領域の画像データのヒストグラムと、前記判定用のヒストグラムとの比較
処理を実行し、当該比較処理によって前記小領域の画像データに境界位置の画像データが
含まれると判定されたときに、それより内側の小領域の画像データに対しては前記比較処
理を実行しないことを特徴としている。
これにより、形態７の複写用画像データ生成装置と同等の作用及び効果が得られる。
【００５１】
〔形態３０〕  一方、上記目的を達成するために、形態３０の複写装置制御プログラム
は、
走査領域を走査して得られる画像データに基づき、当該走査領域範囲内に存在する原稿
を複写する複写装置を制御するのに使用する複写装置制御プログラムであって、
前記走査領域範囲内に前記原稿の存在する走査領域を走査して、当該原稿部分の画像デ
ータを含む走査領域全体の画像データである走査領域画像データを生成する走査領域画像
データ生成ステップと、
前記走査領域画像データ生成ステップで生成した走査領域画像データのヒストグラムを
生成するヒストグラム生成ステップと、
前記ヒストグラム生成ステップで生成したヒストグラムに基づき、前記走査領域画像デ
ータにおける前記原稿部分の画像データ以外の画像データである原稿外画像データを検出
する原稿外画像データ検出ステップと、
前記走査領域画像データにおける、前記原稿外画像データ検出ステップで検出された原
稿外画像データの各画素値を、それよりも低濃度の画素値に変換して構成される複写原稿
画像データを生成する複写原稿画像データ生成ステップと、
前記複写原稿画像データ生成ステップで生成した複写原稿画像データに基づき、前記原
稿を複写する複写ステップとからなる処理をコンピュータに実行させるのに使用するプロ
グラムを含むことを特徴としている。
【００５２】
このような構成であれば、コンピュータによってプログラムが読み取られ、読み取られ
たプログラムに従ってコンピュータが処理を実行すると、形態２３の複写装置と同等の作
用及び効果が得られる。
【００５３】
〔形態３１〕  更に、形態３１の複写装置制御プログラムは、形態３０の複写装置制御
プログラムにおいて、
前記原稿外画像データ検出ステップにおいては、前記走査領域範囲内に原稿が無く且つ
外光が入射した状態の前記走査領域範囲を走査して得られる走査領域画像データから生成
された判定用閾値と、前記ヒストグラム生成ステップで生成したヒストグラムとに基づき
、前記走査領域画像データから前記原稿外画像データを検出することを特徴としている。
このような構成であれば、コンピュータによってプログラムが読み取られ、読み取られ
たプログラムに従ってコンピュータが処理を実行すると、形態２４の複写装置と同等の作
用及び効果が得られる。
【００５４】
〔形態３２〕  更に、形態３２の複写装置制御プログラムは、形態３０又は３１の複写
装置制御プログラムにおいて、
前記判定用閾値は、前記走査領域範囲内に原稿が無く且つ外光が入射した状態の前記走
査領域範囲を走査して得られる走査領域画像データから算出される各画素値の平均値μ及
び標準偏差σから求めた「μ＋３σ」又は「μ−３σ」の範囲値であり、
前記原稿外画像データ検出ステップにおいては、前記走査領域画像データを構成する各
画素データの示す画素値が、前記「μ＋３σ」又は前記「μ−３σ」の範囲値内に含まれ
るときに、その画素データを前記原稿外画像データとして検出することを特徴としている
。
このような構成であれば、コンピュータによってプログラムが読み取られ、読み取られ
たプログラムに従ってコンピュータが処理を実行すると、形態２５の複写装置と同等の作
用及び効果が得られる。
【００５５】
〔形態３３〕  更に、形態３３の複写装置制御プログラムは、形態３１又は３２の複写
装置制御プログラムにおいて、
前記原稿外画像データ検出ステップにおいては、前記走査領域画像データから所定の画
素データを選択し、当該選択した所定の画素データの示す画素値と前記判定用閾値とを比
較して、当該画素値が前記原稿外画像データと判定される画素値であるときに、当該選択
した画素データの画素位置に対して平面視で上下左右の４方向に連続する各画素の画素値
と前記判定用閾値とを比較する処理を順次行い、前記選択した画素データの画素から前記
走査領域の端の画素まで前記４方向にそれぞれ連続する画素群のうち、全ての画素群の画
素値が前記原稿外画像データと判定される画素群が２つ以上あるときに、前記選択した画
素データを前記原稿外画像データとして検出することを特徴としている。
このような構成であれば、コンピュータによってプログラムが読み取られ、読み取られ
たプログラムに従ってコンピュータが処理を実行すると、形態２６の複写装置と同等の作
用及び効果が得られる。
【００５６】
〔形態３４〕  更に、形態３４の複写装置制御プログラムは、形態３０乃至３２のいず
れか１の複写装置制御プログラムにおいて、
前記ヒストグラム生成ステップにおいては、前記走査領域画像データを複数の小領域の
画像データに分割した各小領域の画像データのヒストグラムを生成し、
前記原稿外画像データ検出ステップにおいては、前記ヒストグラム生成ステップで生成
した前記各小領域のヒストグラムと、当該小領域に対する判定用のヒストグラムとの比較
結果に基づき、前記走査領域画像データにおける、前記原稿部分の画像データとの境界位
置を抽出し、当該抽出した境界位置に基づき、前記走査領域画像データから前記原稿外画
像データを検出することを特徴としている。
このような構成であれば、コンピュータによってプログラムが読み取られ、読み取られ
たプログラムに従ってコンピュータが処理を実行すると、形態２７の複写装置と同等の作
用及び効果が得られる。
【００５７】
〔形態３５〕  更に、形態３５の複写装置制御プログラムは、形態３４の複写装置制御
プログラムにおいて、
前記判定用のヒストグラムは、前記原稿外画像データのみから構成される小領域のヒス
トグラムと、前記複写原稿画像データを含んで構成される小領域のヒストグラムとを含む
ことを特徴としている。
このような構成であれば、コンピュータによってプログラムが読み取られ、読み取られ
たプログラムに従ってコンピュータが処理を実行すると、形態２８の複写装置と同等の作
用及び効果が得られる。
【００５８】
〔形態３６〕  更に、形態３６の複写装置制御プログラムは、形態３４又は３５の複写
装置制御プログラムにおいて、
前記原稿外画像データ検出ステップにおいては、走査領域画像データの画像の外側から
内側に向かって順に、前記小領域の画像データのヒストグラムと、前記判定用のヒストグ
ラムとの比較処理を実行し、当該比較処理によって前記小領域の画像データに境界位置の
画像データが含まれると判定されたときに、それより内側の小領域の画像データに対して
は前記比較処理を実行しないことを特徴としている。
このような構成であれば、コンピュータによってプログラムが読み取られ、読み取られ
たプログラムに従ってコンピュータが処理を実行すると、形態２９の複写装置と同等の作
用及び効果が得られる。
【００５９】
〔形態３７〕  一方、上記目的を達成するために、形態３７の複写装置制御プログラム
の記憶されたコンピュータ読み取り可能な記憶媒体は、
形態２９乃至形態３６のいずれか１に記載の複写装置制御プログラムの記憶されたコン
ピュータ読み取り可能な記憶媒体である。
これによって、形態２９乃至形態３６のいずれか１の複写装置制御プログラムと同等の
作用及び効果が得られると共に、ＣＤ−ＲＯＭやＤＶＤ−ＲＯＭ、ＭＯなどの記録媒体を
介して前記複写用画像データ生成プログラムを容易に授受することが可能となる。
【００６０】
〔形態３８〕  一方、上記目的を達成するために、形態３８の複写装置制御方法は、
走査領域を走査して得られる画像データに基づき、当該走査領域範囲内に存在する原稿
を複写する複写装置を制御するのに使用する複写装置制御方法であって、
前記走査領域範囲内に前記原稿の存在する走査領域を走査して、当該原稿部分の画像デ
ータを含む走査領域全体の画像データである走査領域画像データを生成する走査領域画像
データ生成ステップと、
前記走査領域画像データ生成ステップで生成した走査領域画像データのヒストグラムを
生成するヒストグラム生成ステップと、
前記ヒストグラム生成ステップで生成したヒストグラムに基づき、前記走査領域画像デ
ータにおける前記原稿部分の画像データ以外の画像データである原稿外画像データを検出
する原稿外画像データ検出ステップと、
前記走査領域画像データにおける、前記原稿外画像データ検出ステップで検出された原
稿外画像データの各画素値を、それよりも低濃度の画素値に変換して構成される複写原稿
画像データを生成する複写原稿画像データ生成ステップと、
前記複写原稿画像データ生成ステップで生成した複写原稿画像データに基づき、前記原
稿を複写する複写ステップと、を含むことを特徴としている。
これによって、形態２３の複写装置と同等の効果が得られる。
【００６１】
〔形態３９〕  更に、形態３９の複写装置制御方法は、形態３８の複写装置制御方法に
おいて、
前記原稿外画像データ検出ステップにおいては、前記走査領域範囲内に原稿が無く且つ
外光が入射した状態の前記走査領域範囲を走査して得られる走査領域画像データから生成
された判定用閾値と、前記ヒストグラム生成ステップで生成したヒストグラムとに基づき
、前記走査領域画像データから前記原稿外画像データを検出することを特徴としている。
これによって、形態２４の複写装置と同等の効果が得られる。
【００６２】
〔形態４０〕  更に、形態４０の複写装置制御方法は、形態３８又は３９の複写装置制
御方法において、
前記判定用閾値は、前記走査領域範囲内に原稿が無く且つ外光が入射した状態の前記走
査領域範囲を走査して得られる走査領域画像データから算出される各画素値の平均値μ及
び標準偏差σから求めた「μ＋３σ」又は「μ−３σ」の範囲値であり、
前記原稿外画像データ検出ステップにおいては、前記走査領域画像データを構成する各
画素データの示す画素値が、前記「μ＋３σ」又は前記「μ−３σ」の範囲値内に含まれ
るときに、その画素データを前記原稿外画像データとして検出することを特徴としている
。
これによって、形態２５の複写装置と同等の効果が得られる。
【００６３】
〔形態４１〕  更に、形態４１の複写装置制御方法は、形態３９又は４０の複写装置制
御方法において、
前記原稿外画像データ検出ステップにおいては、前記走査領域画像データから所定の画
素データを選択し、当該選択した所定の画素データの示す画素値と前記判定用閾値とを比
較して、当該画素値が前記原稿外画像データと判定される画素値であるときに、当該選択
した画素データの画素位置に対して平面視で上下左右の４方向に連続する各画素の画素値
と前記判定用閾値とを比較する処理を順次行い、前記選択した画素データの画素から前記
走査領域の端の画素まで前記４方向にそれぞれ連続する画素群のうち、全ての画素群の画
素値が前記原稿外画像データと判定される画素群が２つ以上あるときに、前記選択した画
素データを前記原稿外画像データとして検出することを特徴としている。
これによって、形態２６の複写装置と同等の効果が得られる。
【００６４】
〔形態４２〕  更に、形態４２の複写装置制御方法は、形態３８乃至４０のいずれか１
の複写装置制御方法において、
前記ヒストグラム生成ステップにおいては、前記走査領域画像データを複数の小領域の
画像データに分割した各小領域の画像データのヒストグラムを生成し、
前記原稿外画像データ検出ステップにおいては、前記ヒストグラム生成ステップで生成
した前記各小領域のヒストグラムと、当該小領域に対する判定用のヒストグラムとの比較
結果に基づき、前記走査領域画像データにおける、前記原稿部分の画像データとの境界位
置を抽出し、当該抽出した境界位置に基づき、前記走査領域画像データから前記原稿外画
像データを検出することを特徴としている。
これによって、形態２７の複写装置と同等の効果が得られる。
【００６５】
〔形態４３〕  更に、形態４３の複写装置制御方法は、形態４２の複写装置制御方法に
おいて、
前記判定用のヒストグラムは、前記原稿外画像データのみから構成される小領域のヒス
トグラムと、前記複写原稿画像データを含んで構成される小領域のヒストグラムとを含む
ことを特徴としている。
これによって、形態２８の複写装置と同等の効果が得られる。
【００６６】
〔形態４４〕  更に、形態４４の複写装置制御方法は、形態４２又は４３の複写装置制
御方法において、
前記原稿外画像データ検出ステップにおいては、走査領域画像データの画像の外側から
内側に向かって順に、前記小領域の画像データのヒストグラムと、前記判定用のヒストグ
ラムとの比較処理を実行し、当該比較処理によって前記小領域の画像データに境界位置の
画像データが含まれると判定されたときに、それより内側の小領域の画像データに対して
は前記比較処理を実行しないことを特徴としている。
これによって、形態２９の複写装置と同等の効果が得られる。
【発明を実施するための最良の形態】
【００６７】
〔第１の実施の形態〕
以下、本発明の第１の実施の形態を図面に基づき説明する。図１〜図１１は、本発明に
係る複写用画像データ生成装置、複写用画像データ生成プログラム及び複写用画像データ
生成方法、並びに複写装置、複写装置制御プログラム及び複写装置制御方法の第１の実施
の形態を示す図である。
まず、本発明に係る複写装置の構成を図１に基づき説明する。図１は、本発明に係る複
写装置１００の構成を示すブロック図である。
【００６８】
複写装置１００は、図１に示すように、走査領域範囲内にある原稿を光学的に読み取る
原稿読取部１０と、原稿読取部１０で読みとった電気信号から生成される走査領域画像デ
ータに基づきヒストグラムを生成するヒストグラム生成部１２と、走査領域画像データに
含まれる原稿外画像データを検出するための判定用データを記憶する判定用データ記憶部
１４と、ヒストグラム生成部１２で生成されたヒストグラムと、判定用データ記憶部１４
に記憶された判定用データとに基づき、走査領域画像データに含まれる原稿外画像データ
を検出する原稿外画像データ検出部１６と、原稿外画像データ検出部１６からの原稿外画
像データの検出結果の情報と、走査領域画像データとに基づき、複写原稿画像データを生
成する複写原稿画像データ生成部１８と、複写原稿画像データ生成部１８で生成された複
写原稿画像データに基づき、複写原稿画像を印刷する印刷部２０とを含んだ構成となって
いる。
【００６９】
原稿読取部１０は、走査領域を構成する不図示のガラス板上に載置された原稿に光を照
射し、その反射光を光電変換素子（ここでは、ＣＣＤとする）で受光して電気信号（アナ
ログ信号）へと変換し、更に、当該電気信号を不図示のＡＦＥ（Analog Front End）にお
いてデジタル信号に変換して、走査領域範囲全体の画像データである走査領域画像データ
を生成する。本実施の形態において、走査領域範囲は、Ａ４、Ａ３、Ｂ５などの原稿のサ
イズに応じて自動設定することが可能であるが、ユーザが任意のサイズを選択することも
可能である。
ヒストグラム生成部１２は、原稿読取部１０で生成された走査領域画像データを構成す
る各画素データの画素値の示す濃度に基づき濃度毎の画素数を計数し、当該計数結果に基
づきヒストグラムを生成する。例えば、横軸を輝度値、縦軸を画素数としたヒストグラム
を生成する。
【００７０】
判定用データ記憶部１４は、走査領域画像データを構成する各画素データが、原稿外画
像データであるか否かを判定するためのデータを記憶するものである。本実施の形態にお
いては、不図示の原稿固定及び走査領域への外光の入射を遮断する厚板で構成された開閉
式の上蓋を開けた状態で、各走査領域範囲のサイズ（Ａ４、Ａ３など）毎に走査領域を走
査し、各走査領域範囲全体が原稿以外の画像データ（原稿からの反射光が無い状態の画像
データ）となる走査領域画像データ（以下、原稿外走査領域画像データと称す）を生成す
る。次に、各走査領域範囲のサイズ毎に生成された原稿外走査領域画像データの各画素値
から濃度（輝度）平均値μ及び標準偏差値σを算出し、更に、当該算出結果から画素値が
輝度値の場合は「μ＋３σ」を算出し、画素値が濃度値の場合は「μ−３σ」を算出する
。そして、この「μ＋３σ」又は「μ−３σ」を判定用データとして判定用データ記憶部
１４に記憶する。
【００７１】
原稿外画像データ検出部１６は、判定用データ記憶部１４に記憶された判定用データに
基づき、走査領域画像データに原稿外画像データが含まれるか否かを判定すると共に、原
稿外画像データが含まれているときは、その画素データを検出する。そして、当該検出結
果の情報を複写原稿画像データ生成部１８に出力する。
本実施の形態においては、走査領域画像データを構成する各画素データの画素値（ここ
では輝度値とする）と、判定用データ（「μ＋３σ」）とを比較し、画素値が「μ＋３σ
」の範囲内にあるときに、当該画素データを原稿外画像データとして検出する。一方、全
画素データの画素値が「μ＋３σ」の範囲内に無い場合は、原稿外画像データを含まない
と判定し、当該判定結果を複写原稿画像データ生成部１８に出力する。
【００７２】
複写原稿画像データ生成部１８は、原稿外画像データ検出部１６の検出結果の情報に基
づき、走査領域画像データに含まれる原稿外画像データの各画素値を最大輝度値に変換し
て構成される複写原稿画像データを生成する。そして、生成した複写原稿画像データを印
刷部２０に出力する。例えば、表現可能な階調（輝度値）が８ビット（０〜２５５）であ
る場合は、原稿外画像データの全画素値を最大輝度値「２５５」に変換する。なお、原稿
外画像データを含まない走査領域画像データは、それをそのまま複写原稿画像データとし
て印刷部２０に出力する。
【００７３】
印刷部２０は、複写原稿画像データ生成部１８からの複写原稿画像データに基づき、画
像イメージに従ってレーザー光によって感光体にトナーを付着させ、感光体に付着したト
ナーを、走査領域範囲のサイズに対応したサイズの印刷用紙上に熱転写して複写原稿画像
を形成するレーザプリンタである。
【００７４】
なお、この複写装置１００は、原稿読取部１０、ヒストグラム生成部１２、原稿外画像
データ検出部１６、複写原稿画像データ生成部１８、印刷部２０などにおける上記各機能
をソフトウェア上で実現するため、及び上記各機能の実現に必要なハードウェアを制御す
るソフトウェアを実行するためのコンピュータシステムを備えている。このコンピュータ
システムのハードウェア構成は、図２に示すように、各種制御や演算処理を担う中央演算
処理装置であるＣＰＵ（Central Processing Unit）６０と、主記憶装置（Main Storage
）を構成するＲＡＭ（Random Access Memory）６２と、読み出し専用の記憶装置であるＲ
ＯＭ（Read Only Memory）６４との間をＰＣＩ（Peripheral Component Interconnect）
バスやＩＳＡ（Industrial Standard Architecture）バス等からなる各種内外バス６８で
接続すると共に、このバス６８に入出力インターフェース（Ｉ／Ｆ）６６を介して、ＨＤ
Ｄ等の外部記憶装置（Secondary Storage）７０や、印刷部１３やＣＲＴ、ＬＣＤモニタ
ー等の出力装置７２、操作パネルやマウス、キーボード、スキャナなどの入力装置７４、
および図示しない外部装置などと通信するためのネットワークケーブルＬなどを接続した
ものである。
【００７５】
そして、電源を投入すると、ＲＯＭ６４等に記憶されたＢＩＯＳ等のシステムプログラ
ムが、ＲＯＭ６４に予め記憶された各種専用のコンピュータプログラム、あるいは、ＣＤ
−ＲＯＭやＤＶＤ−ＲＯＭ、フレキシブルディスク（ＦＤ）等の記憶媒体を介して、また
はインターネット等の通信ネットワークを介して記憶装置７０にインストールされた各種
専用のコンピュータプログラムを同じくＲＡＭ６２にロードし、そのＲＡＭ６２にロード
されたプログラムに記述された命令に従ってＣＰＵ６０が各種リソースを駆使して所定の
制御および演算処理を行うことで前述したような各機能をソフトウェア上で実現するよう
になっている。
【００７６】
更に、複写装置１００は、ＣＰＵ６０によって、ＲＯＭ６４の所定領域に格納されてい
る所定のプログラムを起動させ、そのプログラムに従って、図３のフローチャートに示す
複写処理を実行するようになっている。ここで、図３は、複写装置１００の複写処理を示
すフローチャートである。
複写処理が実行されると、図３に示すように、まずステップＳ１００に移行する。
【００７７】
ステップＳ１００では、原稿読取部１０において、走査領域（ガラス板上）の所定位置
に原稿が載置され、ユーザの入力装置７４を介した操作（例えば、操作パネルのコピーボ
タンの押下）による複写指示があったか否かを判定し、複写指示があったと判定された場
合(Yes)は、ユーザに指定された、あるいは自動判定した走査領域範囲を走査して（走査
領域範囲への光の照射及び当該走査領域範囲に対応する光電変換素子の蓄積電荷を読み出
して）ステップＳ１０２に移行し、そうでない場合(No)は、複写指示があるまで判定処理
を繰り返す。
【００７８】
ステップＳ１０２に移行した場合は、原稿読取部１０において、ステップＳ１００で読
み出した電気信号（アナログ信号）をデジタル信号に変換して、デジタルの画像データか
ら構成される走査領域画像データを生成し、当該生成した走査領域画像データをヒストグ
ラム生成部１２に出力してステップＳ１０４に移行する。
ステップＳ１０４では、ヒストグラム生成部１２において、ステップＳ１０２で生成し
た走査領域画像データに基づき、ヒストグラムの生成処理を実行してステップＳ１０６に
移行する。
【００７９】
ステップＳ１０６では、原稿外画像データ検出部１６において、判定用データ記憶部１
４に記憶された判定用データと、ヒストグラム生成部１２から入力されたヒストグラムと
に基づき、原稿外画像データ検出処理を実行してステップＳ１０８に移行する。
ステップＳ１０８では、複写原稿画像データ生成部１８において、ステップＳ１０６の
検出結果に基づき、複写原稿画像データの生成処理を実行し、生成した複写原稿画像デー
タを印刷部２０に出力してステップＳ１１０に移行する。
ステップＳ１１０では、印刷部２０において、複写原稿画像データ生成部１８から入力
された複写原稿画像データに基づき、複写原稿画像を印刷してステップＳ１００に移行す
る。
【００８０】
次に、図４に基づき、ステップＳ１０４のヒストグラム生成処理を詳細に説明する。
図４は、第１の実施の形態における複写装置１００のヒストグラム生成部１２における
、ヒストグラム生成処理を示すフローチャートである。
ヒストグラム生成処理は、ステップＳ１０４において実行されると、図４に示すように
、まず、ステップＳ２００に移行するようになっている。
【００８１】
ステップＳ２００では、ヒストグラム生成部１２において、原稿読取部１０から走査領
域画像データを取得したか否かを判定し、取得したと判定された場合(Yes)は、ステップ
Ｓ２０２に移行し、そうでない場合(No)は、取得するまで判定処理を繰り返す。
ステップＳ２０２に移行した場合は、ヒストグラム生成部１２において、走査領域画像
データにおける計数処理が未処理の画素データを選択してステップＳ２０４に移行する。
【００８２】
ステップＳ２０４では、ヒストグラム生成部１２において、未処理画素データの示す輝
度値に基づき、各輝度値毎の計数値を更新してステップＳ２０６に移行する。
ステップＳ２０６では、ヒストグラム生成部１２において、走査領域画像データにおけ
る全ての画素データを選択したか否かを判定し、選択したと判定された場合(Yes)は、ス
テップＳ２０８に移行し、そうでない場合(No)は、ステップＳ２０２に移行する。
【００８３】
ステップＳ２０８に移行した場合は、ヒストグラム生成部１２において、各輝度値毎の
計数結果に基づき、横軸を輝度、縦軸を画素数としたヒストグラムを生成し、当該生成し
たヒストグラムを原稿外画像データ検出部１６に出力し、一連の処理を終了して元の処理
に復帰する。
【００８４】
次に、図５に基づき、ステップＳ１０６の原稿外画像データ検出処理を詳細に説明する
。
図５は、第１の実施の形態における複写装置１００の原稿外画像データ検出部１６にお
ける原稿外画像データ検出処理を示すフローチャートである。
原稿外画像データ検出処理は、ステップＳ１０６で実行されると、図５に示すように、
まず、ステップＳ３００に移行するようになっている。
【００８５】
ステップＳ３００では、原稿外画像データ検出部１６において、ヒストグラム生成部１
２からヒストグラム及び走査領域画像データが入力されたか否かを判定し、入力されたと
判定された場合(Yes)は、ステップＳ３０２に移行し、そうでない場合(No)は、入力され
るまで判定処理を繰り返す。
ステップＳ３０２に移行した場合は、原稿外画像データ検出部１６において、ステップ
Ｓ３００で入力されたヒストグラムに基づき、走査領域画像データに原稿外画像データが
含まれているか否かを判定し、含まれていると判定された場合(Yes)は、ステップＳ３０
４に移行し、そうでない場合(No)は、ステップＳ３１６に移行する。
【００８６】
ステップＳ３０４に移行した場合は、原稿外画像データ検出部１６において、判定用デ
ータ記憶部１４から判定用データ（「μ＋３σ」）を取得してステップＳ３０６に移行す
る。
ステップＳ３０６では、原稿外画像データ検出部１６において、走査領域画像データか
ら検出処理が未処理の画素データを選択してステップＳ３０８に移行する。
【００８７】
ステップＳ３０８では、原稿外画像データ検出部１６において、ステップＳ３０４で選
択した未処理画素データの画素値と、ステップＳ３０４で取得した「μ＋３σ」とを比較
してステップＳ３１０に移行する。
ステップＳ３１０では、原稿外画像データ検出部１６において、ステップＳ３０８の比
較結果から、選択した未処理画素データの画素値が、「μ＋３σ」の範囲内か否かを判定
し、範囲内であると判定された場合(Yes)は、ステップＳ３１２に移行し、そうでない場
合(No)は、選択した未処理画素データは原稿の画像データであると判断してステップＳ３
１４に移行する。
【００８８】
ステップＳ３１２に移行した場合は、原稿外画像データ検出部１６において、選択した
未処理画素データを原稿外画像データとして検出してステップＳ３１４に移行する。つま
り、選択した未処理画素データの画素値をｘとすると、「０≦ｘ≦（μ＋３σ）」である
場合に、選択した未処理画素データを原稿外画像データと判断する。
ステップＳ３１４では、原稿外画像データ検出部１６において、全ての画素データを選
択したか否かを判定し、選択したと判定された場合(Yes)は、ステップＳ３１６に移行し
、そうでない場合(No)は、ステップＳ３０６に移行する。
【００８９】
ステップＳ３１６に移行した場合は、原稿外画像データ検出部１６において、検出結果
の情報を複写原稿画像データ生成部１８に出力し、一連の処理を終了して元の処理に復帰
する。なお、検出結果の情報は、原稿外画像データを含むことを示す情報、原稿外画像デ
ータの座標情報などが含まれ、原稿外画像データを含まない場合は、その旨を示す情報の
みが含まれる。例えば、原稿外画像データを含む場合は、検出結果の情報のヘッド部にそ
の旨を示す「１」を含み、データ部に各原稿外画像データの座標情報を含んだ構成となり
、原稿外画像データを含まない場合は、その旨を示す「０」を含んだヘッド部のみから構
成される。
【００９０】
次に、図６に基づき、ステップＳ１０８の複写原稿画像データ生成処理を詳細に説明す
る。
図６は、第１の実施の形態における複写装置１００の複写原稿画像データ生成部１８に
おける複写原稿画像データ生成処理を示すフローチャートである。
複写原稿画像データ生成処理は、ステップＳ１０８で実行されると、図６に示すように
、まず、ステップＳ４００に移行するようになっている。
【００９１】
ステップＳ４００では、複写原稿画像データ生成部１８において、原稿外画像データ検
出部１６から走査領域画像データ及び検出結果の情報が入力されたか否かを判定し、入力
されたと判定された場合(Yes)は、ステップＳ４０２に移行し、そうでない場合(No)は、
入力されるまで判定処理を繰り返す。
ステップＳ４０２に移行した場合は、複写原稿画像データ生成部１８において、検出結
果の情報に基づき、走査領域画像データは原稿外画像データを含むか否かを判定し、含む
と判定された場合(Yes)は、ステップＳ４０４に移行し、そうでない場合(No)は、ステッ
プＳ４１２に移行する。
【００９２】
ステップＳ４０４に移行した場合は、複写原稿画像データ生成部１８において、ステッ
プＳ４００で入力された走査領域画像データから、変換処理が未処理の原稿外画素データ
を選択してステップＳ４０６に移行する。
ステップＳ４０６では、複写原稿画像データ生成部１８において、ステップＳ４０４で
選択した原稿外画素データの画素値を、最大輝度値（例えば、２５５）に変換してステッ
プＳ４０８に移行する。
【００９３】
ステップＳ４０８では、複写原稿画像データ生成部１８において、全ての原稿外画素デ
ータを選択したか否かを判定し、選択したと判定された場合(Yes)は、ステップＳ４１０
に移行し、そうでない場合(No)は、ステップＳ４０４に移行する。
ステップＳ４１０に移行した場合は、複写原稿画像データ生成部１８において、原稿外
画像データの画素値が最大輝度値に変換された走査領域画像データを複写原稿画像データ
として印刷部２０に出力し、一連の処理を終了して元の処理に復帰する。
【００９４】
一方、ステップＳ４０２において、走査領域画像データは原稿外画像データを含まない
と判定され、ステップＳ４１２に移行した場合は、複写原稿画像データ生成部１８におい
て、ステップＳ４００で入力された走査領域画像データを複写原稿画像データとして印刷
部２０に出力し、一連の処理を終了して元の処理に復帰する。
【００９５】
次に、図７〜図１０に基づき、本実施の形態の動作を説明する。
ここで、図７は、走査領域に原稿が無い状態且つ上蓋が開いた状態で読み取った走査領
域画像の一例を示す図である。また、図８は、図７の走査領域画像のヒストグラムの一例
を示す図である。また、図９（ａ）は、原稿外画像データを含む走査領域画像データの画
像の一例を示す図であり、（ｂ）は、原稿外画像データを除去した走査領域画像データ（
複写原稿画像データ）の画像の一例を示す図である。また、図１０（ａ）は、図９（ａ）
の走査領域画像データのヒストグラムの一例を示す図であり、（ｂ）は、図９（ｂ）の走
査領域画像データのヒストグラムの一例を示す図である。また、図１１は、光学的ドット
ゲインの説明図である。
【００９６】
複写装置１００の電源が投入されると、まず、原稿外画像データを検出するための判定
用データの生成処理を実行する。なお、この処理は、例えば、予め工場出荷時などに済ま
せておいても良いし、電源を投入する毎に１回だけ行うようにしても良いし、ユーザが購
入後、最初に電源を投入した際に１回のみ行うようにしても良い。
【００９７】
具体的な処理内容としては、まず、上蓋が開いた状態で、且つ原稿が無い状態の走査領
域を走査し、当該走査によって得られる電気信号から、走査領域画像データ（原稿外走査
領域画像データ）を生成する。この場合は、上蓋が閉じていないため走査時の照射光に対
し反射光がないため、光電変換素子からは、当該光電変換素子の蓄積電荷が空の状態にお
いて潜在的に蓄積されている（黒レベルの）蓄積電荷（電気信号）が読み出される。従っ
て、この原稿外走査領域画像データの画像は、図７に示すように、画像全体が真っ黒な状
態となる。また、このような原稿外走査領域画像データに対するヒストグラムを生成する
と、図８に示すように、高濃度（低輝度）の画素のみが比較的狭い輝度範囲で存在するも
のとなる。つまり、各光電変換素子が潜在的に有する蓄積電荷量は、光電変換素子毎にば
らつきがあるためある程度の幅を持つ。そして、原稿外走査領域画像データに基づき、画
素値（輝度値）の平均値μ及び標準偏差値σを算出し、当該算出したμ及びσから、判定
用データ「μ＋３σ」を算出する。例えば、輝度平均値が「４」で、標準偏差値が「１．
１」だとすると、「４＋３．３」が判定用データの値となる。前述したように、比較対象
の画素値をｘとすると、「０≦ｘ≦７．７」の範囲内の画素値を、原稿外画像データと判
定するデータとなる。生成された判定用データは、判定用データ記憶部１４に記憶される
。
【００９８】
更に、ユーザが厚手の本などの上蓋を閉めることができない原稿を走査領域（ガラス板
上）に載置した場合の複写処理の具体的な動作を説明する。ユーザは、前記原稿を走査領
域に載置すると、入力装置７４の一つである操作パネルを操作して複写処理を実行させる
。
複写処理が実行されると、まず、原稿読取部１０において、走査領域に対応する光電変
換素子の蓄積電荷を読み取り、走査領域画像データを生成する（ステップＳ１００）。
【００９９】
具体的には、走査領域に載置された原稿のガラス板に面する側（以下、複写面と称す）
に光が照射されるように、原稿の載置された走査領域に対してガラス板を通して複写面側
から光を照射する光源を走査する。そして、光源を走査しながら光を照射後の走査領域に
対応する光電変換素子の蓄積電荷（電気信号）を読み出す。光電変換素子のうち、複写面
に対応する位置にあるものには当該複写面からの反射光によって電荷が蓄積されている。
この蓄積電荷は、原稿の文字部分や白紙部分などによって反射光の強度が変わるため、そ
れぞれに対応した電荷量となる。一方、走査領域における複写面以外の領域は、前述した
ように、反射光がないため、この部分に位置する光電変換素子からは、黒レベルの蓄積電
荷が読み出される。そして、光電変換素子に蓄積された電荷（電気信号）を読み出すと、
この読み出した電気信号を不図示のＡＦＥにおいてデジタルデータに変換して走査領域画
像データを生成する。このようにして生成される走査領域画像データの画像は、図９（ａ
）に示すように、原稿部分以外の画像部分が真っ黒な状態となる。つまり、原稿以外の部
分を真っ黒に印刷するため、この部分に用いるトナーが無駄となっている。また、この走
査領域画像データは、ヒストグラム生成部１２に出力される。
【０１００】
ヒストグラム生成部１２は、走査領域画像データが入力されると、当該走査領域画像デ
ータに基づき、ヒストグラム生成処理を実行する（ステップＳ１０４）。
具体的には、入力された走査領域画像データから計数処理が未処理の画素データを選択
し（ステップＳ２０２）、当該選択した画素データの画素値（輝度値）に基づき、各輝度
値毎に画素数を計数する（ステップＳ２０４）。例えば、輝度値１２０の画素の現在の計
数値が１０のときに、選択画素データの画素値が１２０であったときは、輝度値１２０の
画素の計数値１０を１１に更新する。このように、各画素データの画素値（輝度値）から
、各輝度値毎の画素数を計数する処理を実行し、全ての画素データに対してこの処理が終
了すると（ステップＳ２０６の「Ｙｅｓ」の分岐）、各輝度値毎の画素数の計数結果に基
づき、ヒストグラムを生成する（ステップＳ２０８）。図９（ａ）に示すように、文字の
ある原稿部分と、原稿外の部分とを含む走査領域画像データのヒストグラムは、図１０（
ａ）に示すように、低輝度領域及び高輝度領域で画素数が多くなり、低輝度と高輝度との
中間の濃度領域にも画素が散在する結果となる。このヒストグラムにおいて、低濃度領域
は、原稿外画像データの領域となっており、高輝度領域は、主に原稿における文字以外の
白紙部分の領域となっており、中間の濃度領域は、原稿の文字部分の領域となっている。
白紙に黒文字の原稿において、文字部分の領域が中間の濃度領域となるのは、光学的ドッ
トゲインが発生するためである。光学的ドットゲインは、周囲が白紙部分となる原稿の文
字部分に多く発生し、図１１に示すように、白部分の反射光の影響で、白紙部分と隣接す
る黒部分の白部分との境界近傍において測定輝度値が変動するためである。
【０１０１】
従って、上記した原稿外走査領域画像データの輝度平均値μとその標準偏差σから算出
した「μ＋３σ」の範囲には、文字部分の画像データの画素値はほとんど含まれないこと
になる。
ヒストグラム生成部１２は、上記したように、走査領域画像データのヒストグラムを生
成すると、当該生成したヒストグラム及び走査領域画像データを原稿外画像データ検出部
１６に出力する。
原稿外画像データ検出部１６は、ヒストグラム生成部１２からヒストグラム及び走査領
域画像データが入力されると、原稿外画像データ検出処理を実行する（ステップＳ１０６
）。
【０１０２】
具体的には、まず、走査領域画像データのヒストグラムに基づき、当該走査領域画像デ
ータに原稿外画像データが含まれるか否かを判定する（ステップＳ３０２）。例えば、ヒ
ストグラムが、図１０（ａ）に示すように、低濃度領域に多数の画素を含む特性を有して
いる場合は、原稿外画像データを含んでいると判定し（ステップＳ３０２の「Ｙｅｓ」の
分岐）、一方、ヒストグラムが、図１０（ｂ）に示すように、低濃度領域の画素がほとん
ど無い特性を有している場合は、原稿外画像データを含んでいないと判定する（ステップ
Ｓ３０２の「Ｎｏ」の分岐）。そして、走査領域画像データに原稿外画像データが含まれ
ると判定された場合は、次に、判定用データ記憶部１４から判定用データ（「μ＋３σ」
）を取得し（ステップＳ３０４）、更に、走査領域画像データから検出処理が未処理の画
素データを選択し（ステップＳ３０６）、当該選択した画素データの画素値と、判定用デ
ータ「μ＋３σ」とを比較する（ステップＳ３０８）。この比較結果に基づき、選択画素
データの画素値が、「μ＋３σ」の範囲内であれば（ステップＳ３１０の「Ｙｅｓ」の分
岐）、その画素データを原稿外画像データとして検出し（ステップＳ３１２）、「μ＋３
σ」の範囲外であれば、その画素データを原稿部分の画像データと判断する（ステップＳ
３１０の「Ｎｏ」の分岐）。
【０１０３】
上記した、検出処理が未処理の画素データの選択処理、選択画素データと判定用データ
「μ＋３σ」との比較処理、比較結果に基づく検出処理を、走査領域画像データの全ての
画素データに対して終了すると（ステップＳ３１４の「Ｙｅｓ」の分岐）、原稿外画像デ
ータの検出結果の情報を生成して、この検出結果の情報と、走査領域画像データとを複写
原稿画像データ生成部１８に出力する（ステップＳ３１６）。なお、走査領域画像データ
が原稿外画像データを含まない場合は（ステップＳ３０２の「Ｎｏ」の分岐）、その旨を
示す情報を生成して、この検出結果の情報と、走査領域画像データとを複写原稿画像デー
タ生成部１８に出力する（ステップＳ３１６）。
【０１０４】
複写原稿画像データ生成部１８は、原稿外画像データ検出部１６から、検出結果の情報
及び走査領域画像データが入力されると、複写原稿画像データ生成処理を実行する。
具体的には、まず、入力された検出結果の情報に基づき、走査領域画像データは原稿外
画像データを含んでいるか否かを判定する（ステップＳ４０２）。例えば、前述したよう
に、検出結果の情報のヘッド部分が「１」であれば、原稿外画像データを含んでいると判
定し（ステップＳ４０２の「Ｙｅｓ」の分岐）、一方、ヘッド部分が「０」であれば、原
稿外画像データを含んでいないと判定し（ステップＳ４０２の「Ｎｏ」の分岐）、入力さ
れた走査領域画像データを複写原稿画像データとして印刷部２０に出力する（ステップＳ
４１２）。
【０１０５】
走査領域画像データが原稿外画像データを含んでいる場合は、検出結果の情報に基づき
、走査領域画像データから、変換処理が未処理の原稿外画素データを選択し（ステップＳ
４０４）、当該選択した原稿外画素データの画素値を最大輝度値に変換する（ステップＳ
４０６）。例えば、複写装置１００の表現可能な階調が８ビットであれば、原稿外画素デ
ータの画素値を最大輝度値「２５５」に変換する。このような変換処理を、走査領域画像
データの全原稿外画素データに対して終了すると（ステップ４０８の「Ｙｅｓ」の分岐）
、変換後の走査領域画像データを複写原稿画像データとして印刷部２０に出力する（ステ
ップＳ４１０）。
【０１０６】
印刷部２０は、複写原稿画像データ生成部１８から、複写原稿画像データが入力される
と、当該複写原稿画像データに基づき印刷処理を実行する（ステップＳ１１０）。
この印刷結果は、図９（ａ）に示す、原稿外の画像部分が黒く印刷されたものに対して
、図９（ｂ）に示すように、原稿外の部分が白紙（印字なし）の状態で印刷されたものと
なる。
【０１０７】
このように、本実施の形態の複写装置１００は、原稿が無く且つ上蓋の開いた状態で走
査領域を走査して得られる走査領域画像データから生成した判定用データ（μ±３σ）と
、走査領域画像データのヒストグラムとに基づき、走査領域画像データから原稿外画像デ
ータを検出することが可能であるので、原稿外画像データを正確に検出することができる
。
また、検出された原稿外画像データの各画素値を最大輝度値に変換して複写原稿画像デ
ータを生成することが可能であるので、原稿外画像の印刷にトナーを消費させないように
でき、これにより、複写原稿画像の印刷に使用するトナーの量を節約することができる。
【０１０８】
上記第１の実施の形態において、原稿読取部１０は、形態１の走査領域画像データ取得
手段、又は形態２３の走査領域画像データ生成手段に対応し、ヒストグラム生成部１２は
、形態１、２、２３及び２４のいずれか１のヒストグラム生成手段に対応し、判定用デー
タ記憶部１４及び原稿外画像データ検出部１６は、形態１、２、３、２３、２４及び２５
のいずれか１の原稿外画像データ検出手段に対応し、複写原稿画像データ生成部１８は、
形態１又は２３の複写原稿画像データ生成手段に対応し、印刷部２０は、形態２３の複写
手段に対応する。
【０１０９】
また、上記第１の実施の形態において、ステップＳ１００〜Ｓ１０２は、形態８若しく
は１６の走査領域画像データ取得ステップ、又は形態３０若しくは３８の走査領域画像デ
ータ生成ステップに対応し、ステップＳ１０４は、形態８、９、１６、１７、３０、３１
、３８及び３９のいずれか１のヒストグラム生成ステップに対応し、ステップＳ１０６は
、形態８、９、１０、１６、１７、１８、３０、３１、３２、３８、３９及び４０のいず
れか１の原稿外画像データ検出ステップに対応し、ステップＳ１０８は、形態８、１６、
３０及び３８のいずれか１の複写原稿画像データ生成ステップに対応し、ステップＳ１１
０は、形態３０又は３８の複写ステップに対応する。
【０１１０】
〔第２の実施の形態〕
次に、本発明に係る複写用画像データ生成装置、複写用画像データ生成プログラム及び
複写用画像データ生成方法、並びに複写装置、複写装置制御プログラム及び複写装置制御
方法の第２の実施の形態を図面に基づき説明する。図１２〜図１４は、本発明に係る複写
用画像データ生成装置、複写用画像データ生成プログラム及び複写用画像データ生成方法
、並びに複写装置、複写装置制御プログラム及び複写装置制御方法の第２の実施の形態を
示す図である。
【０１１１】
本実施の形態においては、原稿に大きな黒領域（大きな太文字等）が含まれる場合に、
この黒領域の画像データを原稿外画像データとして検出しないように、選択画素及びその
上下左右（平面視）の画素の状態に基づき、選択画素の画素データが原稿外画像データで
あるか否かを判定する点が、上記第１の実施の形態と異なる。
従って、本実施の形態においては、上記第１の実施の形態の図５のフローチャートに示
す原稿外画像データ検出処理が、図１２のフローチャートに示す処理となる。なお、その
他の構成は、上記第１の実施の形態における複写装置１００と同様の構成となる。以下、
上記第１の実施の形態と異なる点のみ詳細に説明する。
【０１１２】
本実施の形態において、原稿外画像データ検出部１６は、判定用データ記憶部１４に記
憶された判定用データに基づき、走査領域画像データに原稿外画像データが含まれるか否
かを判定すると共に、原稿外画像データが含まれているときは、その画素データを検出す
る。そして、当該検出結果の情報を複写原稿画像データ生成部１８に出力する。
【０１１３】
本実施の形態においては、まず、走査領域画像データを構成する各画素データの画素値
と、判定用データ（「μ＋３σ」）とを比較する。そして、注目画素データの画素値が「
μ＋３σ」の範囲内にあるときに、更に、走査領域画像における前記注目画素データの画
素の上下左右の４方向に走査領域画像の端まで連続する画素の画素データの画素値と、判
定用データ（「μ＋３σ」）とをそれぞれ比較し、前記４方向にそれぞれ連続する４つの
画素群のうち、その全ての画素値が「μ＋３σ」の範囲内にある画素群が２つ以上あると
きに、注目画素データを原稿外画像データとして検出する。一方、注目画素データが「μ
＋３σ」の範囲内に無いか、あるいは注目画素データは「μ＋３σ」の範囲内にあるが、
注目画素データの画素の上下左右４方向の画素群のうち、全ての画素値が「μ＋３σ」の
範囲内にある画素群が２つ以上無い場合は、当該注目画素データを原稿外画像データでは
ないと判断する。そして、走査領域画像データの全ての画素データについて上記検出処理
を行い、その検出結果の情報を複写原稿画像データ生成部１８に出力する。
【０１１４】
次に、図１２に基づき、本実施の形態におけるステップＳ１０６の原稿外画像データ検
出処理について詳細に説明する。
図１２は、第２の実施の形態における複写装置１００の原稿外画像データ検出部１６に
おける原稿外画像データ検出処理を示すフローチャートである。
原稿外画像データ検出処理は、ステップＳ１０６で実行されると、図１２に示すように
、まず、ステップＳ５００に移行するようになっている。
【０１１５】
ステップＳ５００では、原稿外画像データ検出部１６において、ヒストグラム生成部１
２からヒストグラム及び走査領域画像データが入力されたか否かを判定し、入力されたと
判定された場合(Yes)は、ステップＳ５０２に移行し、そうでない場合(No)は、入力され
るまで判定処理を繰り返す。
ステップＳ５０２に移行した場合は、原稿外画像データ検出部１６において、ステップ
Ｓ５００で入力されたヒストグラムに基づき、走査領域画像データに原稿外画像データが
含まれているか否かを判定し、含まれていると判定された場合(Yes)は、ステップＳ５０
４に移行し、そうでない場合(No)は、ステップＳ５２４に移行する。
【０１１６】
ステップＳ５０４に移行した場合は、原稿外画像データ検出部１６において、判定用デ
ータ記憶部１４から判定用データ（「μ＋３σ」）を取得してステップＳ５０６に移行す
る。
ステップＳ５０６では、原稿外画像データ検出部１６において、走査領域画像データか
ら検出処理が未処理の画素データを選択してステップＳ５０８に移行する。
ステップＳ５０８では、原稿外画像データ検出部１６において、ステップＳ５０４で選
択した未処理画素データの画素値と、ステップＳ５０４で取得した「μ＋３σ」とを比較
してステップＳ５１０に移行する。
【０１１７】
ステップＳ５１０では、原稿外画像データ検出部１６において、ステップＳ５０８の比
較結果から、選択した未処理画素データの画素値が、「μ＋３σ」の範囲内か否かを判定
し、範囲内であると判定された場合(Yes)は、ステップＳ５１２に移行し、そうでない場
合(No)は、選択した未処理画素データは原稿の画像データであると判断してステップＳ５
２４に移行する。
ステップＳ５１２に移行した場合は、原稿外画像データ検出部１６において、ステップ
Ｓ５０６で選択した画素データの画素の上下左右方向に連続する画素群の画素データから
、判定処理が未処理の画素データを選択してステップＳ５１４に移行する。
【０１１８】
ステップＳ５１４では、原稿外画像データ検出部１６において、ステップＳ５１２で選
択した画素データの画素値と、「μ＋３σ」とを比較してステップＳ５１６に移行する。
ここで、比較結果は、各画素群毎に対応付けてＲＡＭ６４に格納する。例えば、上方向の
画素群「００」、下方向の画素群「０１」、左方向の画素群「１０」、右方向の画素群「
１１」、「μ＋３σ」の範囲内であれば「１」、「μ＋３σ」の範囲外であれば「０」と
し、これらの数値列から比較結果のデータを構成する。また、一つでも「μ＋３σ」の範
囲外となる画素値があった場合は、それ以上その方向の画素に対しては比較処理を行わな
いようにする。
【０１１９】
ステップＳ５１６では、原稿外画像データ検出部１６において、ステップＳ５０６で選
択した画素データの画素と上下左右方向に連続する、４方向の画素群の画素データを全て
選択したか否かを判定し、選択したと判定された場合(Yes)は、ステップＳ５１８に移行
し、そうでない場合(No)は、ステップＳ５１２に移行する。
【０１２０】
ステップＳ５１８に移行した場合は、原稿外画像データ検出部１６において、前記４方
向の画素群の比較結果に基づき、当該４方向に連続する画素群において、全画素の画素値
が「μ＋３σ」の範囲内となる画素群が２つ以上あるか否かを判定し、２つ以上あると判
定された場合(Yes)は、ステップＳ５２０に移行し、そうでない場合(No)は、ステップＳ
５２２に移行する。なお、ステップＳ５０６で走査領域画像の一番端の画素の画素データ
が選択され、且つその画素データの画素値が「μ＋３σ」の範囲内であった場合は、残り
の３方向のいずれかの画素群の全画素値が「μ＋３σ」の範囲内であれば、２つ以上の画
素群が範囲内であるとし、選択画素データを原稿外画素データと判断する。また、走査領
域画像の４隅の画素の画素データが選択された場合で、且つ選択画素データの画素値が「
μ＋３σ」の範囲内であった場合は、選択画素データを原稿外画像データと判断する。
【０１２１】
ステップＳ５２０に移行した場合は、原稿外画像データ検出部１６において、ステップ
Ｓ５０６で選択した画素データを、原稿外画像データとして検出してステップＳ５２２に
移行する。
ステップＳ５２２では、原稿外画像データ検出部１６において、ステップＳ５０６にお
いて走査領域画像データにおける全ての画素データを選択したか否かを判定し、選択した
と判定された場合(Yes)は、ステップＳ５２４に移行し、そうでない場合(No)は、ステッ
プＳ５０６に移行する。
ステップＳ５２４に移行した場合は、原稿外画像データ検出部１６において、検出結果
の情報を複写原稿画像データ生成部１８に出力し、一連の処理を終了して元の処理に復帰
する。
【０１２２】
次に、図１３及び図１４に基づき、本実施の形態の動作を説明する。
ここで、図１３（ａ）は、大きな黒領域を含む原稿の一例を示す図であり、（ｂ）は、
（ａ）に示す大きな黒領域における原稿外とし認識される領域の一例を示す図である。ま
た、図１４（ａ）は、走査領域画像における原稿外画素の一例を示す図であり、（ｂ）は
、（ａ）の原稿中に大きな文字がある場合の比較処理の流れを示す図であり、（ｃ）は、
原稿のサイズが走査領域範囲を超えた場合の比較処理の流れを示す図である。
【０１２３】
図１３（ａ）に示すように、原稿内に大きな文字画像があった場合に、上記特許文献１
の従来技術や、上記第１の実施の形態における原稿外画像データの検出方法では、図１３
（ｂ）に示すように、黒領域の面積の大きな部分の中央部が原稿外画像データして検出さ
れてしまう。これは、黒領域の中央付近の画像は、その周辺も黒画像となるため光学的ド
ットゲインが発生しないことによるものである。この結果、中央付近の黒画像の画素デー
タが「μ＋３σ」の範囲内に入ってしまい、原稿外画像データとして検出されてしまう。
【０１２４】
そこで、本実施の形態の原稿外画像データの検出方法は、前述したように、選択画素の
上下左右４方向の画素の状態に基づき原稿外画像データを検出することで、原稿内に大き
な文字画像がある場合においても、これを原稿外画像データとして誤認識しないようにし
たものである。以下、本実施の形態の原稿外画像データの検出方法を用いた複写装置１０
０の実際の動作を説明する。
【０１２５】
なお、複写処理におけるヒストグラム生成処理までは、上記第１の実施の形態と同様の
処理となるので説明を省略し、以下、原稿外画像データ検出処理から動作を説明する。
原稿外画像データ検出部１６は、ヒストグラム生成部１２からヒストグラム及び走査領
域画像データが入力されると、原稿外画像データ検出処理を実行する（ステップＳ１０６
）。
【０１２６】
具体的には、まず、走査領域画像データのヒストグラムに基づき、当該走査領域画像デ
ータに原稿外画像データが含まれるか否かを判定する（ステップＳ５０２）。そして、走
査領域画像データに原稿外画像データが含まれると判定された場合は、次に、判定用デー
タ記憶部１４から判定用データ（「μ＋３σ」）を取得し（ステップＳ５０４）、更に、
走査領域画像データから検出処理が未処理の画素データを選択し（ステップＳ５０６）、
当該選択した画素データの画素値と、判定用データ「μ＋３σ」とを比較する（ステップ
Ｓ５０８）。この比較結果に基づき、選択画素データの画素値が、「μ＋３σ」の範囲内
であれば（ステップＳ５１０の「Ｙｅｓ」の分岐）、次に、走査領域画像を平面視して、
選択画素データの画素の上下左右の４方向に連続する画素群から所定画素の画素データを
選択する（ステップＳ５１２）。そして、当該選択した画素データの画素値と、「μ＋３
σ」とを比較する（ステップＳ５１４）。
【０１２７】
例えば、選択画素データの画素を画素Ｐとし、当該画素Ｐの、上方向に連続する画素Ｐ
ｕ１〜ＰｕＮ（Ｎは自然数）から構成される画素群ＰＵ、下方向に連続する画素Ｐｄ１〜
ＰｄＮ（Ｎは自然数）から構成される画素群ＰＤ、左方向に連続する画素Ｐｌ１〜ＰｌＮ
（Ｎは自然数）から構成される画素群ＰＬ、右方向に連続する画素Ｐｒ１〜ＰｒＮ（Ｎは
自然数）から構成される画素群ＰＲがあるとする。この場合、前記比較処理（ステップＳ
５１４）は、まず、選択画素データの画素Ｐの上方向に隣接する画素Ｐｕ１の画素データ
を選択し、当該画素データの画素値と「μ＋３σ」とを比較する、そして当該画素値が「
μ＋３σ」の範囲内であれば、引き続き画素Ｐｕ１の画素の上方向に隣接する画素Ｐｕ２
の画素データを選択し、その画素値と「μ＋３σ」とを比較する。このような比較処理を
、途中の画素の画素値が「μ＋３σ」の範囲外になるか、又は画素ＰｕＮに到達するまで
順次行う。なお、画素ＰｕＮの画素値が「μ＋３σ」の範囲内であれば、画素Ｐｕ１〜Ｐ
ｕＮの画素値は全て「μ＋３σ」の範囲内となる。そして、画素群ＰＵに対する比較処理
が終了すると、次に、選択画素データの画素の下方向に隣接する画素Ｐｄ１の画素データ
を選択し、画素群ＰＵのときと同様に、途中の画素の画素値が「μ＋３σ」の範囲外にな
るか、又は画素ＰｄＮに到達するまで比較処理を順次行う。このような比較処理を、画素
群ＰＤの次は画素群ＰＬに行い、画素群ＰＬの次は画素群ＰＲに行う。
【０１２８】
そして、全ての画素の画素値が「μ＋３σ」の範囲内となる画素群が２つ以上あるか否
かを判定し（ステップＳ５１６）、２つ以上ある場合は（ステップＳ５１６の「Ｙｅｓ」
の分岐）、選択画素Ｐの画素データを原稿外画像データとして検出する。つまり、選択画
素Ｐが原稿外画像データである場合は、例えば、図１４（ａ）に示すように、選択画素Ｐ
の上下左右の４方向のうち２方向に連続する画素も原稿外の画素となる。図１４（ａ）の
例では、選択画素Ｐの上方向の画素群及び右方向の画素群の画素値が全て「μ＋３σ」の
範囲内（原稿外画素）となる。
【０１２９】
一方、全ての画素の画素値が「μ＋３σ」の範囲内となる画素群が２つ以上ない場合は
（ステップＳ５１６の「Ｙｅｓ」の分岐）、選択画素Ｐの画素データを原稿画像の画素デ
ータと判断する。つまり、図１４（ｂ）に示すように、原稿内に大きな黒文字がある場合
でも、選択画素Ｐの上下左右の４方向（図中の矢印方向）の画素群の画素値と「μ＋３σ
」との比較処理を行い、且つ２つ以上の画素群の画素が全画素「μ＋３σ」の範囲内とな
らない限りは、選択画素Ｐが「μ＋３σ」の範囲内であっても、それを原稿外画像データ
とて検出しない。図１４（ｂ）に示す例では、大きな黒領域の中央部の画素が選択画素Ｐ
となっており、この画素Ｐは「μ＋３σ」の範囲内となっている。しかし、選択画素Ｐの
上下左右の４方向に連続する画素群には、全て原稿内の白画素が含まれるので、この場合
は、選択画素Ｐの画素データは原稿外画像データとして検出されない。
【０１３０】
また、図１４（ｃ）に示す例では、原稿が走査領域範囲を超えており、且つ走領域範囲
の端に大きな黒文字が存在する。この場合は、「μ＋３σ」の範囲内となる選択画素Ｐの
右方向の画素群の画素値が全て「μ＋３σ」の範囲内となるが、右方向以外の残り３方向
の画素群には全て原稿内の白画素が含まれるので、この場合は、選択画素Ｐの画素データ
は原稿外画像データとして検出されない。つまり、２つ以上の画素群の画素値が全て「μ
＋３σ」の範囲内とならなければ、「μ＋３σ」の範囲内となる選択画素Ｐの画素データ
を原稿外画像データとして検出しないのは、図１４（ｃ）に示す例のようなケースがある
からである。
【０１３１】
上記した、検出処理が未処理の画素データの選択処理、選択画素データと判定用データ
「μ＋３σ」との比較処理、選択画素データの上下左右４方向の画素データと判定用デー
タとの比較処理、比較結果に基づく検出処理を、走査領域画像データの全ての画素データ
に対して終了すると（ステップＳ５２２の「Ｙｅｓ」の分岐）、原稿外画像データの検出
結果の情報を生成して、この検出結果の情報と、走査領域画像データとを複写原稿画像デ
ータ生成部１８に出力する（ステップＳ５２４）。なお、走査領域画像データが原稿外画
像データを含まない場合は（ステップＳ５０２の「Ｎｏ」の分岐）、その旨を示す情報を
生成して、この検出結果の情報と、走査領域画像データとを複写原稿画像データ生成部１
８に出力する（ステップＳ５２４）。
【０１３２】
なお、以降の複写原稿画像データ生成処理及び印刷処理は、上記第１の実施の形態と同
様となるので説明を省略する。
このように、本実施の形態の複写装置１００は、原稿が無く且つ上蓋の開いた状態で走
査領域を走査して得られる走査領域画像データから生成した判定用データ（μ＋３σ）と
、走査領域画像データのヒストグラムとに基づき、走査領域画像データから原稿外画像デ
ータを検出することが可能であるので、原稿外画像データを正確に検出することができる
。
【０１３３】
また、原稿外画像データの検出処理において、選択画素データの画素値が（μ＋３σ）
の範囲内にあっても、その上下左右の４方向に連続する画素群の画素データについても、
それらの画素値と（μ＋３σ）との比較処理を行い、これら４方向の画素群のうち、全画
素の画素値が（μ＋３σ）の範囲内となる画素群が２つ以上ある場合に選択画素データを
原稿外画像データとして検出することが可能であるので、原稿内に大きな黒領域があって
も、その黒領域（の中央部）にある黒画素を原稿外画像データとして誤検出することを防
ぐことができる。
【０１３４】
また、検出された原稿外画像データの各画素値を最大輝度値に変換して複写原稿画像デ
ータを生成することが可能であるので、原稿外画像の印刷にトナーを消費させないように
でき、これにより、複写原稿画像の印刷に使用するトナーの量を節約することができる。
上記第２の実施の形態において、原稿読取部１０は、形態１の走査領域画像データ取得
手段、又は形態２３の走査領域画像データ生成手段に対応し、ヒストグラム生成部１２は
、形態１、２、２３及び２４のいずれか１のヒストグラム生成手段に対応し、判定用デー
タ記憶部１４及び原稿外画像データ検出部１６は、形態１、２、３、４、２３、２４、２
５及び２６のいずれか１の原稿外画像データ検出手段に対応し、複写原稿画像データ生成
部１８は、形態１又は２３の複写原稿画像データ生成手段に対応し、印刷部２０は、形態
２３の複写手段に対応する。
【０１３５】
また、上記第２の実施の形態において、ステップＳ１００〜Ｓ１０２は、形態８若しく
は１６の走査領域画像データ取得ステップ、又は形態３０若しくは３８の走査領域画像デ
ータ生成ステップに対応し、ステップＳ１０４は、形態８、９、１６、１７、３０、３１
、３８及び３９のいずれか１のヒストグラム生成ステップに対応し、ステップＳ１０６は
、形態８、９、１０、１１、１６、１７、１８、１９、３０、３１、３２、３３、３８、
３９、４０及び４１のいずれか１の原稿外画像データ検出ステップに対応し、ステップＳ
１０８は、形態８、１６、３０及び３８のいずれか１の複写原稿画像データ生成ステップ
に対応し、ステップＳ１１０は、形態３０又は３８の複写ステップに対応する。
【０１３６】
〔第３の実施の形態〕
次に、本発明に係る複写用画像データ生成装置、複写用画像データ生成プログラム及び
複写用画像データ生成方法、並びに複写装置、複写装置制御プログラム及び複写装置制御
方法の第３の実施の形態を図面に基づき説明する。図１５〜図２０は、本発明に係る複写
用画像データ生成装置、複写用画像データ生成プログラム及び複写用画像データ生成方法
、並びに複写装置、複写装置制御プログラム及び複写装置制御方法の第３の実施の形態を
示す図である。
【０１３７】
本実施の形態においては、原稿に大きな黒領域（大きな太文字等）が含まれる場合に、
この黒領域の画像データを原稿外画像データとして検出しないように、走査領域画像デー
タを複数の小領域の画像データ領域（以下、小領域画像データと称す）に分割し、走査領
域画像の一端から他端に向かって順に、各小領域画像データ毎に、当該小領域画像データ
に原稿外の部分と原稿部分との境界部の画像データを含むか否かを判定し、境界部の画像
データを含むと判定した場合は、判定処理をそこで止めて、別の一端から他端に向かって
同様の判定処理を実行する。このような判定処理を、走査領域画像の境界部を含む全小領
域画像データが検出されるまで行い、その判定結果に基づき、原稿外画像データを検出す
る点が、上記第１の実施の形態及び上記第２の実施の形態と異なる。
【０１３８】
従って、本実施の形態においては、上記第１の実施の形態の図４のフローチャートに示
すヒストグラム生成処理が図１５のフローチャートに示す処理となり、図５のフローチャ
ートに示す原稿外画像データ検出処理が、図１６のフローチャートに示す処理となる。な
お、その他の構成は、上記第１の実施の形態における複写装置１００と同様の構成となる
。以下、上記第１の実施の形態及び上記第２の実施の形態と異なる点のみ詳細に説明する
。
【０１３９】
本実施の形態において、ヒストグラム生成部１２は、原稿読取部１０で生成された走査
領域画像データを、複数の小領域の画像データに分割し、各小領域画像データ毎に、当該
小領域画像データを構成する各画素データの画素値の示す濃度に基づき濃度毎の画素数を
計数し、当該計数結果に基づきヒストグラムを生成する。
本実施の形態において、原稿外画像データ検出部１６は、判定用データ記憶部１４に記
憶された判定用データに基づき、小領域画像データに境界部の画像データが含まれるか否
かを判定すると共に、境界部を含む画像データから原稿外画像データを検出する。そして
、当該検出結果の情報を複写原稿画像データ生成部１８に出力する。
【０１４０】
また、本実施の形態においては、小領域画像データに境界部の画像データが含まれるか
否かを判定するための判定用データとして、原稿外画像データのみから構成される小領域
画像データのヒストグラムＡ、原稿外画像データ及び原稿画像データとが混在して構成さ
れる小領域画像データのヒストグラムＢ及び白紙部分の画像データのみから構成される小
領域画像データのヒストグラムＣを予め作成する。そして、走査領域画像の一端の小領域
画像データから他端の小領域画像データに向かって順番に、各小領域画像データのヒスト
グラムと、判定用のヒストグラムＡ〜Ｃとをそれぞれパターンマッチングし、ヒストグラ
ムＡとの相関が最も高いときは、その小領域画像データは全て原稿外画像データであると
判断し（全て原稿外画像データとして検出）、ヒストグラムＢとの相関が最も高いときは
、その小領域画像データは境界部の画像データを含むと判断し、ヒストグラムＣとの相関
が最も高いときは、その小領域画像データは全て白紙部分の原稿画像データであると判断
する。
【０１４１】
また、小領域画像データは境界部の画像データを含むと判定された場合は、走査領域画
像の一端の小領域画像から順番に実行してきた比較処理をそこで中止し、他の一端から再
び比較処理を実行する。
本実施の形態において、判定用データ記憶部１４は、上記判定用のヒストグラムＡ〜Ｃ
を記憶している。
【０１４２】
次に、図１５に基づき、ステップＳ１０４のヒストグラム生成処理を詳細に説明する。
図１５は、第３の実施の形態における複写装置１００のヒストグラム生成部１２におけ
る、ヒストグラム生成処理を示すフローチャートである。
ヒストグラム生成処理は、ステップＳ１０４において実行されると、図１５に示すよう
に、まず、ステップＳ６００に移行するようになっている。
【０１４３】
ステップＳ６００では、ヒストグラム生成部１２において、原稿読取部１０から走査領
域画像データを取得したか否かを判定し、取得したと判定された場合(Yes)は、ステップ
Ｓ６０２に移行し、そうでない場合(No)は、取得するまで判定処理を繰り返す。
ステップＳ６０２に移行した場合は、ヒストグラム生成部１２において、ステップＳ６
００で取得した走査領域画像データを複数の小領域（均等なサイズ）の画像データに分割
してステップＳ６０４に移行する。
【０１４４】
ステップＳ６０４では、ヒストグラム生成部１２において、ステップＳ６０２で分割後
の複数の小領域画像データから、ヒストグラムの生成処理が未処理の小領域画像データを
選択してステップＳ６０６に移行する。
ステップＳ６０６では、ヒストグラム生成部１２において、ステップＳ６０４で選択し
た小領域画像データから計数処理が未処理の画素データを選択してステップＳ６０８に移
行する。
【０１４５】
ステップＳ６０８では、ヒストグラム生成部１２において、ステップＳ６０６で選択し
た未処理画素データの輝度情報（輝度値）に基づき、該当する輝度値の画素数の計数値を
更新してステップＳ６１０に移行する。
ステップＳ６１０では、ヒストグラム生成部１２において、ステップＳ６０４で選択し
た小領域画像データにおける全ての画素データを選択したか否かを判定し、選択したと判
定された場合(Yes)は、ステップＳ６１２に移行し、そうでない場合(No)は、ステップＳ
６０６に移行する。
【０１４６】
ステップＳ６１２に移行した場合は、ヒストグラム生成部１２において、輝度値毎の計
数結果に基づき、ステップＳ６０４で選択した小領域画像データのヒストグラムを生成し
てステップＳ６１４に移行する。
ステップＳ６１４では、ヒストグラム生成部１２において、走査領域画像データにおけ
る全ての小領域画像データを選択したか否かを判定し、選択したと判定された場合(Yes)
は、一連の処理を終了して元の処理に復帰し、そうでない場合(No)は、ステップＳ６０４
に移行する。
【０１４７】
次に、図１６に基づき、本実施の形態におけるステップＳ１０６の原稿外画像データ検
出処理について詳細に説明する。
図１６は、第３の実施の形態における複写装置１００の原稿外画像データ検出部１６に
おける原稿外画像データ検出処理を示すフローチャートである。
原稿外画像データ検出処理は、ステップＳ１０６で実行されると、図１６に示すように
、まず、ステップＳ７００に移行するようになっている。
【０１４８】
ステップＳ７００では、原稿外画像データ検出部１６において、ヒストグラム生成部１
２からヒストグラム及び走査領域画像データが入力されたか否かを判定し、入力されたと
判定された場合(Yes)は、ステップＳ７０２に移行し、そうでない場合(No)は、入力され
るまで判定処理を繰り返す。
ステップＳ７０２に移行した場合は、原稿外画像データ検出部１６において、判定用デ
ータ記憶部１４から、判定用のヒストグラムＡ〜Ｃを取得してステップＳ７０４に移行す
る。
【０１４９】
ステップＳ７０４では、原稿外画像データ検出部１６において、走査領域画像の端部に
位置する小領域画像に対応する未処理の小領域画像データのヒストグラムを選択してステ
ップＳ７０６に移行する。
ステップＳ７０６では、原稿外画像データ検出部１６において、ステップＳ７０４で選
択したヒストグラムと、ステップＳ７０２で取得した判定用のヒストグラムＡ〜Ｃとのパ
ターンマッチング処理を行ってステップＳ７０８に移行する。
【０１５０】
ステップＳ７０８では、原稿外画像データ検出部１６において、ステップＳ７０６のパ
ターンマッチング結果に基づき、ステップＳ７０４で選択したヒストグラムは、判定用の
ヒストグラムＡとの相関が最も高いか否かを判定し、ヒストグラムＡとの相関が最も高い
と判定された場合(Yes)は、ステップＳ７１０に移行し、そうでない場合(No)は、ステッ
プＳ７２０に移行する。
【０１５１】
ステップＳ７１０に移行した場合は、原稿外画像データ検出部１６において、ステップ
Ｓ７０４で選択したヒストグラムに対応する小領域画像データを原稿外画像データとして
検出してステップＳ７１２に移行する。
ステップＳ７１２では、原稿外画像データ検出部１６において、選択したヒストグラム
に対するパターンマッチング処理が他端に到達したか否かを判定し、到達したと判定され
た場合(Yes)は、ステップＳ７１４に移行し、そうでない場合(No)は、ステップＳ７１８
に移行する。
【０１５２】
ステップＳ７１４に移行した場合は、原稿外画像データ検出部１６において、走査領域
画像における全ての端部から他端方向に向けてのパターンマッチング処理を実行したか否
かを判定し、実行したと判定された場合(Yes)は、ステップＳ７１６に移行し、そうでな
い場合(No)は、ステップＳ７０４に移行する。
ステップＳ７１６に移行した場合は、原稿外画像データ検出部１６において、検出結果
の情報を複写原稿画像データ生成部１８に出力し、一連の処理を終了して元の処理に復帰
する。
【０１５３】
一方、ステップＳ７１２において、端部まで到達していないと判定されステップＳ７１
８に移行した場合は、原稿外画像データ検出部１６において、パターンマッチング処理の
開始端に対して他端方向に隣接するマッチング処理が未処理の小領域画像データに対応す
るヒストグラムを選択してステップＳ７０６に移行する。
また、ステップＳ７０８において、ステップＳ７０４で選択したヒストグラムと、ヒス
トグラムＡとの相関が最も高くなくステップＳ７２０に移行した場合は、原稿外画像デー
タ検出部１６において、ステップＳ７０４で選択したヒストグラムは、判定用のヒストグ
ラムＢとの相関が最も高いか否かを判定し、ヒストグラムＢとの相関が最も高いと判定さ
れた場合(Yes)は、ステップＳ７１４に移行し、そうでない場合(No)は、ステップＳ７１
２に移行する。
【０１５４】
次に、図１７〜図１９に基づき、本実施の形態の動作を説明する。
ここで、図１７は、走査領域画像データを複数の小領域画像データに分割した様子を示
す図である。また、図１８（ａ）〜（ｃ）は、判定用のヒストグラムＡ〜Ｃの一例を示す
図である。また、図１９（ａ）〜（ｉ）は、パターンマッチング処理の処理手順の一例を
示す図である。また、図２０は、第３の実施の形態における複写原稿画像の一例を示す図
である。
【０１５５】
なお、複写処理における走査領域画像データの取得処理までは、上記第１の実施の形態
と同様の処理となるので説明を省略し、以下、ヒストグラム生成処理からの動作を説明す
る。
ヒストグラム生成部１２は、走査領域画像データが入力されると、当該走査領域画像デ
ータに基づき、ヒストグラム生成処理を実行する（ステップＳ１０４）。
【０１５６】
具体的には、まず、入力された走査領域画像データを、複数の小領域の画像データに分
割する（ステップ６０２）。つまり、図１７に示すように、走査領域画像を、均等なサイ
ズの複数の小領域の矩形画像に分割することになる。次に、分割後の走査領域画像データ
から、ヒストグラムの生成処理が未処理の小領域画像データを選択し（ステップＳ６０４
）、当該選択した小領域画像データから、計数処理が未処理の画素データを選択する（ス
テップＳ６０６）。そして、当該選択した画素データの画素値（輝度値）に基づき、各輝
度値毎に画素数を計数する（ステップＳ６０８）。この計数処理を小領域画像データを構
成する全ての画素データに対して終了すると（ステップＳ６１０の「Ｙｅｓ」の分岐）、
各輝度値毎の画素数の計数結果に基づき、選択した小領域画像データのヒストグラムを生
成する（ステップＳ６１２）。このヒストグラムは、画素数が異なるだけで、上記第１の
実施の形態で生成されるヒストグラムと同様のものとなる。この小領域画像データのヒス
トグラムの生成処理を、走査領域画像データにおける全ての小領域画像データに対して終
了すると（ステップＳ６１４の「Ｙｅｓ」の分岐）、ヒストグラム生成部１２は、当該生
成したヒストグラム及び走査領域画像データを原稿外画像データ検出部１６に出力する。
【０１５７】
原稿外画像データ検出部１６は、ヒストグラム生成部１２からヒストグラム及び走査領
域画像データが入力されると、原稿外画像データ検出処理を実行する（ステップＳ１０６
）。
原稿外画像データ検出部１６は、まず、判定用データ記憶部１４から、判定用のヒスト
グラムＡ〜Ｃを取得する（ステップＳ７０２）。判定用のヒストグラムＡ〜Ｃは、図１８
（ａ）〜（ｃ）に示すようなグラフパターンとなる。ここで、図１８（ａ）は、原稿外画
像データのみから構成される小領域画像データのヒストグラムＡであり、同図（ｂ）は、
原稿外画像データ及び原稿画像データの混在する小領域画像データのヒストグラムＢであ
り、同図（ｃ）は、原稿の白紙部分の画像データのみから構成される小領域画像データの
ヒストグラムＣである。
【０１５８】
次に、走査領域画像データの各小領域画像データに対応したヒストグラムの中から、走
査領域画像の端部に位置する小領域画像に対応するヒストグラムを選択する（ステップＳ
７０４）。
以下、図１９（ａ）〜（ｉ）に基づき、原稿外画像データ検出処理の動作を詳細に説明
する。
【０１５９】
原稿外画像データ検出部１６は、図１９（ａ）に示すように、まず、走査領域画像の左
上端部に位置する小領域画像（以下、小領域画像Ａと称す）の小領域画像データに対応す
るヒストグラムを選択する。そして、当該選択したヒストグラムと、上記取得した判定用
のヒストグラムＡ〜Ｃとをそれぞれパターンマッチングする（ステップＳ７０６）。なお
、この原稿の複写処理においては、上記第１の実施の形態と同様に、上蓋が開いた状態で
原稿の走査が行われたとする。
【０１６０】
従って、図１９（ａ）に示すように、その全てが原稿外に位置する小領域画像Ａに対応
する小領域画像データは、原稿外画像データのみから構成されるため、そのヒストグラム
は、ヒストグラムＡと最も相関が高くなる（ステップＳ７０８の「Ｙｅｓ」の分岐）。そ
の結果、小領域画像Ａに対応する小領域画像データは、原稿外画像データとして検出され
る（ステップＳ７１０）。小領域画像Ａは開始端の画像であるので（ステップＳ７１２の
「Ｎｏ」の分岐）、次に、図１９（ｂ）に示すように、小領域画像Ａの下方向に隣接する
小領域画像Ｂの小領域画像データに対応するヒストグラムを選択する（ステップ７１８）
。そして、小領域画像Ａのときと同様に、この選択したヒストグラムと、判定用のヒスト
グラムＡ〜Ｃとをそれぞれパターンマッチングする。小領域画像Ｂも小領域画像Ａと同様
に原稿外に位置するため、パターンマッチングの結果、ヒストグラムＡと最も相関が高く
なり（ステップＳ７０８の「Ｙｅｓ」の分岐）、小領域画像Ｂの小領域画像データも原稿
外画像データとして検出される（ステップＳ７１０）。同様の処理を、小領域画像Ａから
下方向に向かって順次行っていくと、図１９（ｃ）に示すように、パターンマッチング処
理が下端（終端）に到達する（ステップＳ７１２の「Ｙｅｓ」の分岐）。また、図１９（
ｃ）に示すように、開始端から終端までの全ての小領域画像が原稿外に位置しているため
、これら小領域画像の小領域画像データは、全て原稿外画像データとして検出される。そ
して、パターンマッチング処理が終端に到達すると、開始端となっていない端部がまだあ
るので（ステップＳ７１４の「Ｎｏ」の分岐）、開始端となっていない端部の小領域画像
データに対応するヒストグラムを選択し（ステップＳ７０４）、同様のパターンマッチン
グ処理を実行する（ステップＳ７０６）。ここでは、図１９（ｄ）に示すように、小領域
画像Ａの右隣の小領域画像（以下、小領域画像Ｃと称す）を選択する。
【０１６１】
図１９（ｄ）に示すように、小領域画像Ｃは原稿外に位置するため、小領域画像Ｃの小
領域画像データに対応するヒストグラムは、ヒストグラムＡと最も相関が高くなり（ステ
ップＳ７０８の「Ｙｅｓ」の分岐）、その小領域画像データは、原稿外画像データとして
検出される（ステップＳ７１０）。また、小領域画像Ｃは、開始端となるので（ステップ
Ｓ７１２の「Ｎｏ」の分岐）、次に、図１９（ｅ）に示すように、小領域画像Ｃの下側に
隣接する小領域画像（以下、小領域画像Ｄと称す）を選択する。
【０１６２】
図１９（ｅ）に示すように、小領域画像Ｄは、原稿外画像と原稿画像との境界部を含む
ので、小領域画像Ｄの走査領域画像データのヒストグラムは、ヒストグラムＢと最も相関
が高くなる（ステップＳ７２０の「Ｙｅｓ」の分岐）。この場合は、小領域画像Ｄより下
方向の小領域画像に対してパターンマッチング処理を行わずに、パターンマッチング処理
の開始端として選択されていない他の端部を選択し、その端部の小領域画像の小領域画像
データに対応するヒストグラムを選択する（ステップＳ７０４）。ここでは、図１９（ｆ
）に示すように、小領域画像Ｄの右隣の小領域画像（以下、小領域画像Ｅと称す）を選択
する。
【０１６３】
図１９（ｆ）に示すように、小領域画像Ｅは原稿外に位置するため、小領域画像Ｅの小
領域画像データに対応するヒストグラムは、ヒストグラムＡと最も相関が高くなり（ステ
ップＳ７０８の「Ｙｅｓ」の分岐）、その小領域画像データは、原稿外画像データとして
検出される（ステップＳ７１０）。また、小領域画像Ｅは、開始端となるので（ステップ
Ｓ７１２の「Ｎｏ」の分岐）、次に、図１９（ｇ）に示すように、小領域画像Ｅの下側に
隣接する小領域画像（以下、小領域画像Ｆと称す）を選択する。
【０１６４】
図１９（ｇ）に示すように、小領域画像Ｆは、原稿外画像と原稿画像との境界部を含む
ので、小領域画像Ｆの走査領域画像データのヒストグラムは、ヒストグラムＢと最も相関
が高くなる（ステップＳ７２０の「Ｙｅｓ」の分岐）。この場合は、小領域画像Ｆより下
方向の小領域画像に対してパターンマッチング処理を行わずに、パターンマッチング処理
の開始端として選択されていない他の端部を選択し、その端部の小領域画像の小領域画像
データに対応するヒストグラムを選択する（ステップＳ７０４）。
【０１６５】
上記図１９（ａ）〜（ｇ）に示す流れで順次パターンマッチング処理を実行し、図１９
（ｈ）に示すように、走査領域画像の上端から下端に向けてのパターンマッチング処理が
全て終了すると、走査領域画像における、上端以外の未だ開始端となっていない端部の小
領域画像に対応するヒストグラムを順次選択してパターンマッチング処理を実行する。こ
こでは、開始端として選択された小領域画像が、右端の小領域画像であれば、対向する左
端に向かってパターンマッチング処理を順次行い、下端の小領域画像であれば、対向する
上端に向かってパターンマッチング処理を順次行い、左端の小領域画像であれば、対向す
る右端に向かってパターンマッチング処理を順次行う。
【０１６６】
このように、走査領域画像の外側から内側に向かって、境界を含む小領域画像を検出す
るまで、順次パターンマッチング処理を実行していくことで、図１９（ｉ）に示すように
、走査領域画像における原稿と原稿外との境界部の画像を含む小領域が全て検出され、原
稿外画像データの検出処理が終了する。
つまり、走査領域画像データにおけるヒストグラムＡと最も相関の高いヒストグラムに
対応した小領域画像データを原稿外画像データとして検出する。原稿外画像データ検出部
１６は、原稿外画像データの検出結果の情報及び走査領域画像データを、複写原稿画像デ
ータ生成部１８に出力する（ステップＳ７１６）。
なお、以降の複写原稿画像データ生成処理及び印刷処理は、上記第１の実施の形態と同
様となるので説明を省略する。
【０１６７】
なお、図１９（ａ）〜（ｉ）の処理手順でパターンマッチング処理を行って原稿外画像
データを検出した場合の複写原稿画像は、図２０に示すようになる。図２０に示すように
、原稿外画像データのみで構成される小領域画像の画素値は、全て最大輝度値に変換され
るので白画像となっており、境界部を含む小領域画像は、その原稿部分は原稿内容に応じ
た内容となり、その原稿外部分は最大輝度値に変換しないので全て黒画像となっている。
つまり、境界部を含む小領域画像については、原稿外部分を黒で印刷することになるが、
それ以外の原稿外部分については白となるので、その部分にはトナーを使用しなくてすむ
。また、境界部を含む小領域画像及びその内側の小領域画像については、原稿外画像デー
タの検出処理を行わないので、原稿内に大きな黒領域があったとしても、その部分を原稿
外画像データとして誤検出することがない。
【０１６８】
このように、本実施の形態の複写装置１００は、原稿外画像データの検出処理において
、走査領域画像データを複数の小領域画像データに分割し、これら小領域画像データのヒ
ストグラムを生成し、このヒストグラムと上記判定用のヒストグラムＡ〜Ｃとをパターン
マッチングして、各小領域画像データの内容を判断し、小領域画像データが全て原稿外画
像データで構成されている場合に、それを原稿外画像データとして検出することが可能で
ある。これにより、原稿と原稿外との境界部の画像を含む小領域画像データについては、
原稿外画像データの部分を黒く印刷することになるが、原稿外画像データのみで構成され
る小領域画像データについては、複写原稿画像の印刷時にトナーを使用しなくてもすむの
で、トナーの使用量を節約することができる。
【０１６９】
また、パターンマッチング処理を、走査領域画像の一端から対向する他端に向けて実行
し、小領域画像データが原稿と原稿外との境界部の画像を含むときに、それより先の小領
域画像に対してはパターンマッチング処理を実行しないようにする。そして、このような
処理手順で走査領域画像の全ての端部の小領域画像を開始端としてパターンマッチング処
理を実行し、走査領域画像データにおける境界部の画像データを含む小領域画像データを
全て検出することが可能である。これにより、原稿内に大きな黒領域が含まれている場合
でも、その黒領域を原稿外画像データとして誤検出することを防ぐことができる。
【０１７０】
上記第３の実施の形態において、原稿読取部１０は、形態１の走査領域画像データ取得
手段、又は形態２３の走査領域画像データ生成手段に対応し、ヒストグラム生成部１２は
、形態１、２、５、２３、２４及び２７のいずれか１のヒストグラム生成手段に対応し、
判定用データ記憶部１４及び原稿外画像データ検出部１６は、形態１、２、３、５、７、
２３、２４、２５、２７及び２９のいずれか１の原稿外画像データ検出手段に対応し、複
写原稿画像データ生成部１８は、形態１又は２３の複写原稿画像データ生成手段に対応し
、印刷部２０は、形態２３の複写手段に対応する。
【０１７１】
また、上記第３の実施の形態において、ステップＳ１００〜Ｓ１０２は、形態８若しく
は１６の走査領域画像データ取得ステップ、又は形態３０若しくは３８の走査領域画像デ
ータ生成ステップに対応し、ステップＳ１０４は、形態８、９、１２、１６、１７、２０
、３０、３１、３４、３８、３９及び４２のいずれか１のヒストグラム生成ステップに対
応し、ステップＳ１０６は、形態８、９、１０、１２、１４、１６、１７、１８、２０、
２２、３０、３１、３２、３４、３６、３８、３９、４０、４２及び４４のいずれか１の
原稿外画像データ検出ステップに対応し、ステップＳ１０８は、形態８、１６、３０及び
３８のいずれか１の複写原稿画像データ生成ステップに対応し、ステップＳ１１０は、形
態３０又は３８の複写ステップに対応する。
【０１７２】
なお、上記第１〜第３の実施の形態においては、ヒストグラム生成部１２、判定用デー
タ記憶部１４、原稿外画像データ検出部１６及び複写原稿画像データ生成部１８を有する
構成の複写装置１００について説明したが、これら構成部の機能をＰＣ等の外部機器に持
たせ、この外部機器と汎用の複写機とを通信接続して、上記各機能を実現するようにして
も良い。この場合は、外部機器が汎用の複写機から走査領域画像データを取得し、当該走
査領域画像データに基づき、上記ヒストグラム生成処理、上記原稿外画像データの検出処
理及び上記複写原稿画像データの生成処理の各処理を実行する。そして、生成した複写原
稿画像データを汎用の複写機に送信し、汎用の複写機は、外部機器から受信した複写原稿
画像データに基づき印刷処理（複写処理）を実行する。
【０１７３】
また、上記第１及び第２の実施の形態においては、判定用データとして、画素値が輝度
値の場合は「μ＋３σ」を、画素値が濃度地の場合は「μ−３σ」を用いる例を説明した
が、これに限らず、原稿外走査領域画像データを構成する画素データのうち最大輝度値又
は最低濃度値となるものを判定用データにするなど、他の値を判定用データとして用いる
構成としても良い。
【図面の簡単な説明】
【０１７４】
【図１】本発明に係る複写装置１００の構成を示すブロック図である。
【図２】複写装置１００のハードウェア構成を示す図である。
【図３】複写装置１００の複写処理を示すフローチャートである。
【図４】第１の実施の形態における複写装置１００のヒストグラム生成部１２における、ヒストグラム生成処理を示すフローチャートである。
【図５】第１の実施の形態における複写装置１００の原稿外画像データ検出部１６における原稿外画像データ検出処理を示すフローチャートである。
【図６】第１の実施の形態における複写装置１００の複写原稿画像データ生成部１８における複写原稿画像データ生成処理を示すフローチャートである。
【図７】走査領域に原稿が無い状態且つ上蓋が開いた状態で読み取った走査領域画像の一例を示す図である。
【図８】図７の走査領域画像のヒストグラムの一例を示す図である。
【図９】（ａ）は、原稿外画像データを含む走査領域画像データの画像の一例を示す図であり、（ｂ）は、原稿外画像データを除去した走査領域画像データ（複写原稿画像データ）の画像の一例を示す図である。
【図１０】（ａ）は、図９（ａ）の走査領域画像データのヒストグラムの一例を示す図であり、（ｂ）は、図９（ｂ）の走査領域画像データのヒストグラムの一例を示す図である。
【図１１】光学的ドットゲインの説明図である。
【図１２】第２の実施の形態における複写装置１００の原稿外画像データ検出部１６における原稿外画像データ検出処理を示すフローチャートである。
【図１３】（ａ）は、大きな黒領域を含む原稿の一例を示す図であり、（ｂ）は、（ａ）に示す大きな黒領域における原稿外とし認識される領域の一例を示す図である。
【図１４】（ａ）は、走査領域画像における原稿外画素の一例を示す図であり、（ｂ）は、（ａ）の原稿中に大きな文字がある場合の比較処理の流れを示す図であり、（ｃ）は、原稿のサイズが走査領域範囲を超えた場合の比較処理の流れを示す図である。
【図１５】第３の実施の形態における複写装置１００のヒストグラム生成部１２における、ヒストグラム生成処理を示すフローチャートである。
【図１６】第３の実施の形態における複写装置１００の原稿外画像データ検出部１６における原稿外画像データ検出処理を示すフローチャートである。
【図１７】走査領域画像データを複数の小領域画像データに分割した様子を示す図である。
【図１８】（ａ）〜（ｃ）は、判定用のヒストグラムＡ〜Ｃの一例を示す図である。
【図１９】（ａ）〜（ｉ）は、パターンマッチング処理の処理手順の一例を示す図である。
【図２０】第３の実施の形態における複写原稿画像の一例を示す図である。
【符号の説明】
【０１７５】
１００…複写装置、１０…原稿読取部、１２…ヒストグラム生成部、１４…判定用データ
記憶部、１６…原稿外画像データ検出部、１８…複写原稿画像データ生成部、２０…印刷
部、６０…ＣＰＵ、６２…ＲＡＭ、６４…ＲＯＭ、６６…インターフェース、７０…記憶
装置、７２…出力装置、７４…入力装置
【図１】
0004760520.tif 000002
【図２】
0004760520.tif 000003
【図３】
0004760520.tif 000004
【図４】
0004760520.tif 000005
【図５】
0004760520.tif 000006
【図６】
0004760520.tif 000007
【図７】
0004760520.tif 000008
【図８】
0004760520.tif 000009
【図９】
0004760520.tif 000010
【図１０】
0004760520.tif 000011
【図１１】
0004760520.tif 000012
【図１２】
0004760520.tif 000013
【図１３】
0004760520.tif 000014
【図１４】
0004760520.tif 000015
【図１５】
0004760520.tif 000016
【図１６】
0004760520.tif 000017
【図１７】
0004760520.tif 000018
【図１８】
0004760520.tif 000019
【図１９】
0004760520.tif 000020
【図２０】
0004760520.tif 000021